(57)【要約】  プロキシデバイスを用いる、クライアント端末における電力の節約、および／またはワイヤレスシステムにおけるレイテンシの低減のための、手法が提供される。クライアント端末は、アクセスノードとの通信のためのプライマリ通信インターフェースと、プロキシデバイスとの通信のためのセカンダリ通信インターフェースとを有し得る。クライアント端末は、そのシグナリング／制御チャネルの監視のための短いサイクルレートを、アクセスノードに示すことができる。クライアント端末は、アクセスノードに知らせることなく、そのプライマリ通信インターフェースをパワーオフすることができる。そのプライマリ通信インターフェースをパワーオフする前に、クライアント端末は、該クライアント端末のためのプロキシの役割を果たすべきプロキシデバイスを割り当て、アクセスノードによってシグナリング／制御チャネルを監視することができる。プロキシデバイスは、示された短いサイクルレートに従って、シグナリング／制御チャネルを監視する。クライアント端末のためのメッセージが検出されると、プロキシデバイスは、セカンダリ通信インターフェースを介してメッセージをクライアント端末に転送する。
2013544452.tif 000002
【特許請求の範囲】
【請求項１】
アクセスノードとワイヤレスに通信するための第１の通信インターフェースと、
プロキシデバイスとワイヤレスに通信するための第２の通信インターフェースと、
前記第１の通信インターフェースと前記第２の通信インターフェースとに結合された処理回路であって、
プロキシデバイスに宛てられたメッセージを送信する、ここで、前記メッセージが、前記クライアント端末のためのシグナリング／制御チャネルを監視し、前記シグナリング／制御チャネルからの着信メッセージを、前記第２の通信インターフェースを介して前記クライアント端末へ転送することによって、プロキシとして動作せよという要求を含む、
前記シグナリング／制御チャネルの監視を示す、アクセスノードに宛てられたメッセージを、前記第１の通信インターフェースを使用して短いサイクルレートで送信する、
前記クライアント端末が前記第１の通信インターフェースによって前記示された短いサイクルレートで監視していると、前記アクセスノードが依然として判断している間に、前記第１の通信インターフェースをパワーダウンする、および
転送された着信メッセージについて前記第２の通信インターフェースを監視する、
ように適合された処理回路と、
を備える、クライアント端末。
【請求項２】
前記第１の通信インターフェースの使用が、前記第２の通信インターフェースよりも多くの電力を消費する、請求項１に記載のクライアント端末。
【請求項３】
前記第１の通信インターフェースの少なくとも１つが符号分割多元接続（ＣＤＭＡ）対応インターフェースであり、または、前記第２の通信インターフェースがＢｌｕｅｔｏｏｔｈ対応インターフェースである、請求項１に記載のクライアント端末。
【請求項４】
前記アクセスノードへの前記メッセージが、前記シグナリング／制御チャネルを連続的に監視することを示す、請求項１に記載のクライアント端末。
【請求項５】
前記第１の通信インターフェースをパワーダウンすることは、前記第１の通信インターフェースの前記電力消費を低減するが、前記第１の通信インターフェースを完全にはオフにしない、請求項１に記載のクライアント端末。
【請求項６】
前記第１の通信インターフェースをパワーダウンすることは、前記信号／制御チャネルを長いサイクルレートで監視することによって、前記第１の通信インターフェースの前記電力消費を低減する、ここで、前記長いサイクルレートは、前記短いサイクルレートよりも長い、請求項１に記載のクライアント端末。
【請求項７】
前記処理回路がさらに、
転送された着信メッセージが前記第２の通信インターフェースを介して受信されるまで、前記第１の通信インターフェースをオフにすることによって、前記第１の通信インターフェースをパワーダウンする
ように適合される、請求項１に記載のクライアント端末。
【請求項８】
前記処理回路がさらに、
プッシュツートークＡｎｎｏｕｎｃｅ  Ｃａｌｌメッセージを備える転送された着信メッセージを受信する
ように適合される、請求項１に記載のクライアント端末。
【請求項９】
前記処理回路がさらに、
前記第１の通信インターフェースがパワーダウンしているときに、プッシュツートークコール要求メッセージを、前記第２の通信インターフェースを介して前記プロキシデバイスに送信する
ように適合される、請求項１に記載のクライアント端末。
【請求項１０】
前記処理回路が、約５０ミリ秒と１００ミリ秒の間のサイクルレートで、前記第２の通信インターフェースを監視するように適合される、請求項１に記載のクライアント端末。
【請求項１１】
クライアント端末のためのシグナリング／制御チャネルを監視し、前記シグナリング／制御チャネルからの着信メッセージを、第２の通信インターフェースを介して前記クライアント端末へ転送することによって、プロキシとして動作せよというプロキシデバイスに対する要求を含む、メッセージを送信することと、
前記シグナリング／制御チャネルが短いサイクルレートで第１の通信インターフェースによって監視されているという、アクセスノードに対する指示を含む、メッセージを送信することと、
前記クライアント端末が前記示された短いサイクルレートで前記第１の通信インターフェースによって監視していると、アクセスノードが依然として判断している間に、前記第１の通信インターフェースをパワーダウンすることと、
前記プロキシデバイスからの転送された着信メッセージについて、前記第２の通信インターフェースを監視することと
を備える、クライアント端末上で動作可能な方法。
【請求項１２】
プロキシデバイスにプロキシとして動作するように要求する前記メッセージを送信することが、クライアント識別子と、少なくとも１つのシグナリング／制御チャネルと、前記少なくとも１つのシグナリング／制御チャネルを監視するサイクルレートとを含むメッセージを送信することを含む、請求項１１に記載の方法。
【請求項１３】
前記アクセスノードへの前記指示を有する前記メッセージが、前記クライアント端末によって前記シグナリング／制御チャネルを連続的に監視することを示す、請求項１１に記載の方法。
【請求項１４】
前記第１の通信インターフェースをパワーダウンすることは、前記第１の通信インターフェースの前記電力消費を低減するが、前記第１の通信インターフェースを完全にはオフにしない、請求項１１に記載の方法。
【請求項１５】
前記第１の通信インターフェースをパワーダウンすることが、前記短いサイクルレートよりも長い期間、前記第１の通信インターフェースをオフにすることを含む、請求項１１に記載の方法。
【請求項１６】
前記第２の通信インターフェースを監視することが、２００ミリ秒以下のサイクルレートで、前記第２の通信インターフェースをオンとオフとの間で循環させることを含む、請求項１１に記載の方法。
【請求項１７】
前記第２の通信インターフェースを介して前記プロキシデバイスから転送された着信メッセージを受信することをさらに備え、前記プロキシデバイスから前記転送された着信メッセージが、プッシュツートークＡｎｎｏｕｎｃｅ  Ｃａｌｌメッセージを備える、請求項１１に記載の方法。
【請求項１８】
前記第１の通信インターフェースをパワーダウンした後に、前記第２の通信インターフェースを介して、プッシュツートークコール要求メッセージを前記プロキシデバイスに送信することをさらに備える、請求項１１に記載の方法。
【請求項１９】
クライアント端末のためのシグナリング／制御チャネルを監視し、前記シグナリング／制御チャネルからの着信メッセージを、第２の通信インターフェースを介して前記クライアント端末へ転送することによって、プロキシデバイスにプロキシとして動作するように要求するメッセージを、前記プロキシデバイスに送信するための手段と、
前記シグナリング／制御チャネルが短いサイクルレートで第１の通信インターフェースによって監視されているということを示すメッセージを、アクセスノードに送信するための手段と、
前記示された短いサイクルレートで前記クライアント端末が前記第１の通信インターフェースによって監視していると、前記アクセスノードが依然として判断している間に、前記第１の通信インターフェースをパワーダウンするための手段と、
前記プロキシデバイスからの転送された着信メッセージについて、前記第２の通信インターフェースを監視するための手段と
を備える、クライアント端末。
【請求項２０】
前記第１の通信インターフェースがパワーダウンしている間に、プッシュツートークコール要求メッセージを、前記第２の通信インターフェースを介して前記プロキシデバイスに送信するための手段をさらに備える、請求項１９に記載のクライアント端末。
【請求項２１】
前記第１の通信インターフェースをパワーダウンすることが、前記短いサイクルレートよりも長い期間、前記第１の通信インターフェースをオフにすることを含む、請求項１９に記載のクライアント端末。
【請求項２２】
クライアント端末において電力を節約しレイテンシを低減するための、前記クライアント端末上で動作可能な１つまたは複数の命令を有するプロセッサ可読媒体であって、前記命令が、プロセッサによって実行されると、前記プロセッサに、
前記クライアント端末のためのシグナリング／制御チャネルを監視し、前記シグナリング／制御チャネルからの着信メッセージを、第２の通信インターフェースを介して前記クライアント端末へ転送することによって、プロキシデバイスにプロキシとして動作するように要求するメッセージを、前記プロキシデバイスへ送信させ、
前記シグナリング／制御チャネルが短いサイクルレートで第１の通信インターフェースによって監視されているということを示すメッセージを、アクセスノードへ送信させ、
前記示された短いサイクルレートで前記クライアント端末が第１の通信インターフェースによって監視していると、前記アクセスノードが依然として判断している間に、前記第１の通信インターフェースをパワーダウンさせ、
前記プロキシデバイスからの転送された着信メッセージについて、前記第２の通信インターフェースを監視させる、プロセッサ可読媒体。
【請求項２３】
プロセッサによって実行されると、前記プロセッサに、
前記第１の通信インターフェースがパワーダウンしている間に、プッシュツートークコール要求メッセージを、前記第２の通信インターフェースを介して前記プロキシデバイスへ送信させる、前記クライアント端末上で動作可能な１つまたは複数の命令をさらに備える、請求項２２に記載のプロセッサ可読媒体。
【請求項２４】
アクセスノードと通信するための第１の通信インターフェースと、
クライアント端末とワイヤレスに通信するための第２の通信インターフェースと、
前記第１の通信インターフェースと前記第２の通信インターフェースとの間に結合された処理回路であって、
前記クライアント端末がそれ自体の第１の通信インターフェースをパワーダウンしている間に、前記クライアント端末のためのプロキシとして動作せよという要求を、前記クライアント端末から受信する、
前記クライアント端末のためのプロキシとして動作するという肯定応答を、前記クライアント端末に送信する、
前記クライアント端末によって示されたサイクルレートで、前記第１の通信インターフェースを介して前記クライアント端末のシグナリング／制御チャネル上の着信メッセージを監視する、ここで、前記クライアント端末の前記第１の通信インターフェースがパワーダウンされているとしても、前記シグナリング／制御チャネルが前記サイクルレートで前記クライアント端末の第１の通信インターフェースによって監視されていることを示すために、同じサイクルレートがアクセスノードにも伝えられ、
前記第１の通信インターフェースを介して受信された着信メッセージを、前記第２の通信インターフェースを介して前記クライアント端末へ転送する
ように適合された処理回路と、
を備える、プロキシデバイス。
【請求項２５】
前記第１の通信インターフェースの使用が、前記第２の通信インターフェースよりも多くの電力を消費する、請求項２４に記載のプロキシデバイス。
【請求項２６】
前記第１の通信インターフェースの少なくとも１つが符号分割多元接続（ＣＤＭＡ）対応インターフェースであり、または、前記第２の通信インターフェースが任意のＢｌｕｅｔｏｏｔｈ対応インターフェースである、請求項２４に記載のプロキシデバイス。
【請求項２７】
前記クライアント端末によって示され前記アクセスノードにも伝えられる前記サイクルレートが５．１２秒未満である、請求項２４に記載のプロキシデバイス。
【請求項２８】
前記クライアント端末によって示され前記アクセスノードにも伝えられる前記サイクルレートが３００ミリ秒未満である、請求項２４に記載のプロキシデバイス。
【請求項２９】
前記クライアント端末によって示され前記アクセスノードにも伝えられる前記サイクルレートが連続的である、請求項２４に記載のプロキシデバイス。
【請求項３０】
前記処理回路がさらに、
前記クライアント端末に宛てられた、前記アクセスノードから受信された着信メッセージに応答して、前記クライアント端末の代わりに、メッセージをアクセスノードへ送信するように適合される、請求項２４に記載のプロキシデバイス。
【請求項３１】
前記クライアント端末からの前記要求が、クライアント識別子と、前記クライアント端末と関連付けられた１つまたは複数のシグナリング／制御チャネルと、前記１つまたは複数のシグナリング／制御チャネルと関連付けられた前記サイクルレートとを含む、請求項２４に記載のプロキシデバイス。
【請求項３２】
前記処理回路がさらに、
前記クライアント端末のためのシグナリング／制御チャネル上のプッシュツートークＡｎｎｏｕｎｃｅ  Ｃａｌｌメッセージを備える着信メッセージを、前記第１の通信インターフェースを介して、前記クライアント端末によって示され前記アクセスノードに伝えられる前記サイクルレートで監視し、
前記第１の通信インターフェースを介して受信された前記プッシュツートークＡｎｎｏｕｎｃｅ  Ｃａｌｌメッセージを、前記第２の通信インターフェースを介して前記クライアント端末へ転送する
ように適合される、請求項２４に記載のプロキシデバイス。
【請求項３３】
前記処理回路がさらに、
前記第２の通信インターフェースを介して前記クライアント端末からプッシュツートークコール要求メッセージを受信し、
前記プッシュツートークコール要求メッセージを、前記第１の通信インターフェースを介してアクセスノードに転送するように適合される、請求項２４に記載のプロキシデバイス。
【請求項３４】
クライアント端末がそれ自体の第１の通信インターフェースをパワーダウンしている間に、前記クライアント端末のためのプロキシとして動作せよという要求を、前記クライアント端末から受信することと、
前記クライアント端末によって示されたサイクルレートで、前記プロキシデバイスの第１の通信インターフェースを介して前記クライアント端末のシグナリング／制御チャネル上の着信メッセージを監視することであって、前記クライアント端末の前記第１の通信インターフェースがパワーダウンされているとしても、前記シグナリング／制御チャネルが前記サイクルレートで前記クライアント端末の第１の通信インターフェースによって監視されていることを示すために、同じサイクルレートがアクセスノードにも伝えられる、監視することと、
前記第１の通信インターフェースを介して受信された着信メッセージを、第２の通信インターフェースを介して前記クライアント端末へ転送することと
を備える、プロキシデバイス上で動作可能な方法。
【請求項３５】
前記クライアント端末から前記要求を受信することが、クライアント識別子と、前記クライアント端末と関連付けられた１つまたは複数のシグナリング／制御チャネルと、前記１つまたは複数のシグナリング／制御チャネルと関連付けられた前記サイクルレートとを受信することを含む、請求項３４に記載の方法。
【請求項３６】
前記クライアント端末によって示される前記サイクルレートが５．１２秒未満である、請求項３４に記載の方法。
【請求項３７】
前記クライアント端末によって示される前記サイクルレートが３００ミリ秒未満である、請求項３４に記載の方法。
【請求項３８】
前記クライアント端末によって示される前記サイクルレートが連続的である、請求項３４に記載の方法。
【請求項３９】
前記シグナリング／制御チャネル上の着信メッセージを監視することが、前記シグナリング／制御チャネル上のプッシュツートークＡｎｎｏｕｎｃｅ  Ｃａｌｌメッセージを監視することを含み、
前記第１の通信インターフェースを介して受信される前記プッシュツートークＡｎｎｏｕｎｃｅ  Ｃａｌｌメッセージを、前記第２の通信インターフェースを介して前記クライアント端末に転送することを備える、前記第１の通信インターフェースを介して受信された着信メッセージを、前記第２の通信インターフェースを介して前記クライアント端末に転送することをさらに備える、請求項３４に記載の方法。
【請求項４０】
前記第２の通信インターフェースを介して前記クライアント端末からプッシュツートークコール要求メッセージを受信することと、
前記プッシュツートークコール要求メッセージを、前記第１の通信インターフェースを介して前記アクセスノードに転送することとをさらに備える、請求項３４に記載の方法。
【請求項４１】
前記クライアント端末に宛てられた、アクセスノードから受信された着信メッセージに応答して、前記クライアント端末の代わりに、肯定応答メッセージを前記アクセスノードへ送信することをさらに備える、請求項３４に記載の方法。
【請求項４２】
前記クライアント端末がそれ自体の第１の通信インターフェースをパワーダウンしている間に、前記クライアント端末のためのプロキシとして動作せよという要求を、前記クライアント端末から受信するための手段と、
前記クライアント端末によって示されたサイクルレートで、第１の通信インターフェースを介して前記クライアント端末のシグナリング／制御チャネル上の着信メッセージを監視するための手段であって、前記クライアント端末の前記第１の通信インターフェースがパワーダウンされているとしても、前記シグナリング／制御チャネルが前記サイクルレートで前記クライアント端末の第１の通信インターフェースによって監視されていることを示すために、同じサイクルレートがアクセスノードにも伝えられる、監視するための手段と、
前記第１の通信インターフェースを介して前記アクセスノードから受信された着信メッセージを、第２の通信インターフェースを介して前記クライアント端末へ転送するための手段と
を備える、プロキシデバイス。
【請求項４３】
前記第２の通信インターフェースを介して前記クライアント端末からプッシュツートークコール要求メッセージを受信するための手段と、
前記プッシュツートークコール要求メッセージを、前記第１の通信インターフェースを介して前記アクセスノードに転送するための手段とをさらに備える、請求項４２に記載のプロキシデバイス。
【請求項４４】
前記クライアント端末に宛てられた、アクセスノードから受信された着信メッセージに応答して、前記クライアント端末の代わりに、肯定応答メッセージを前記アクセスノードへ送信するための手段をさらに備える、請求項４２に記載のプロキシデバイス。
【請求項４５】
クライアント端末における電力節約とシステムレイテンシの低減とを促進するための、プロキシデバイス上で動作可能な１つまたは複数の命令を有するプロセッサ可読媒体であって、前記命令が、プロセッサによって実行されると、前記プロセッサに、
前記クライアント端末がそれ自体の第１の通信インターフェースをパワーダウンしている間に、前記クライアント端末のためのプロキシとして動作せよという要求を、前記クライアント端末から受信させ、
前記クライアント端末によって示されたサイクルレートで、前記プロキシデバイスの第１の通信インターフェースを介して前記クライアント端末のシグナリング／制御チャネル上の着信メッセージを監視させ、ここで、前記クライアント端末の前記第１の通信インターフェースがパワーダウンされているとしても、前記シグナリング／制御チャネルが前記サイクルレートで前記クライアント端末の第１の通信インターフェースによって監視されていることを示すために、同じサイクルレートがアクセスノードにも伝えられ、
前記第１の通信インターフェースを介して受信された着信メッセージを、前記第２の通信インターフェースを介して前記クライアント端末へ転送させる、プロセッサ可読媒体。
【請求項４６】
プロセッサによって実行されると、前記プロセッサに、
前記第２の通信インターフェースを介して前記クライアント端末からプッシュツートークコール要求メッセージを受信させ、
前記プッシュツートークコール要求メッセージを、前記第１の通信インターフェースを介して前記アクセスノードに転送させる、前記クライアント端末上で動作可能な１つまたは複数の命令をさらに備える、請求項４５に記載のプロセッサ可読媒体。
【請求項４７】
プロセッサによって実行されると、前記プロセッサに、前記クライアント端末に宛てられアクセスノードから受信された着信メッセージに応答して、前記クライアント端末の代わりに、肯定応答メッセージを前記アクセスノードへ送信させる、前記クライアント端末上で動作可能な１つまたは複数の命令をさらに備える、請求項４５に記載のプロセッサ可読媒体。
【発明の詳細な説明】
【技術分野】
【０００１】
本明細書で開示される様々な特徴は、ワイヤレス通信システムに関し、少なくともいくつかの特徴は、プロキシデバイスを使用して、セカンダリワイヤレスインターフェースを介してメッセージを受信し、メッセージをクライアント端末に転送することによって、ワイヤレスクライアント端末における電力節約とワイヤレス通信システムにおけるレイテンシ低減との両方を促進する、デバイスおよび方法に関する。
【背景技術】
【０００２】
ワイヤレス信号を通じて他のデバイスと通信する、ラップトップコンピュータ、携帯情報端末デバイス、携帯電話もしくはセルラー電話、またはプロセッサを備えた任意の他のデバイスなどのクライアント端末が、ますます普及しつつある。クライアント端末は、通常、異なる動作モードについて様々なチャネルを利用する。クライアント端末上で動作し、ほぼ連続的なネットワークアクセスをしばしば必要とする、消費電力の多いアプリケーションを消費者が使用するようになり、帯域幅などのネットワークリソースの節約がますます重要になっている。同時に、クライアント端末は、しばしば電力源が限られている（たとえば再充電可能なバッテリパック）ので、再充電と再充電の間のクライアント端末の動作時間を延ばすのを支援できる、様々なモードで動作することができる。
【０００３】
クライアント端末は、「アクティブ」モードおよび「アイドル」モードを含む、いくつかのモードのうちの１つで動作することができる。アクティブモードでは、クライアント端末は、ワイヤレス通信システムにおいて、データ（たとえば、音声もしくはデータコールまたはセッション）を、１つまたは複数のアクセスノード（たとえば、基地局、Ｎｏｄｅ  Ｂ、フェムトセルなど）とアクティブに交換することができる。アイドルモードでは、クライアント端末は、ページングチャネル（ＰＣＨ）などの制御チャネルを、ページングメッセージについて監視することができる。そのようなページングメッセージは、着信する音声またはデータコールの発生についてクライアント端末に警告するメッセージ、ならびにシステム情報およびクライアント端末のための他の情報を運ぶ制御／オーバヘッドメッセージを含み得る。
【０００４】
アイドルモードでの電力消費は、アクティブモードの場合よりもかなり少ない。しかし、クライアント端末は、（１または複数の）ページングチャネルを監視するために必要な回路を維持するために、電力を消費し続ける。従来、アイドルモードでの電力消費を低減するために、ページングメッセージが、指定された時間においてページングチャネル上でクライアント端末に送信され得る。ページングチャネルを連続的に監視する代わりに、クライアント端末は、不連続受信モード（たとえばＤＲＸ）で動作することによってページングチャネルを定期的に監視することにより、電力を節約することができる。不連続受信モードでは、クライアント端末は、「スリープ」状態から起動し、「アウェイク」状態に入り、メッセージについてページングチャネルを処理し、追加の通信が必要ではない場合、スリープ状態に戻る。
【０００５】
クライアント端末は、スリープ状態において通信回路がパワーダウンされた（たとえば、部分的にまたは完全にパワーオフされた）状態で多くの時間を経過し得るので、かなりの電力節約が達成されることができる。しかし、スリープ状態は、クライアント端末への通信を確立する（または再確立する）際に追加の遅延をまねくので、通信システムの応答性は、損なわれるおそれがある。システムの応答性の低下は、スリープサイクルの持続時間が長くなるにつれて大きくなる。すなわち、スリープサイクルの長いシステムでは、電力節約はかなり大きいが、システムの応答性は、すべての用途にとって必ずしも許容可能ではないことがある。スリープサイクルの短いシステムでは、クライアント端末の電力の消耗または消費は速いが、システムの応答性は向上する。したがって、システムエンジニアは、不十分な電力節約と不十分な応答性とのトレードオフに直面している。
【０００６】
したがって、応答性も向上させながら、クライアント端末の電力消費を低減する解決策が必要である。
【発明の概要】
【０００７】
様々な実装形態は、クライアント端末が着信メッセージを短いサイクルレートでリッスンすることをネットワークに伝え、クライアント端末がアイドルモードからプロキシモードへ切り替える間に、プロキシデバイスを使用してクライアント端末について着信メッセージをリッスンすることによって、クライアント端末における電力節約とシステム応答性とを同時に促進する、システム、デバイス、および方法を含む。
【０００８】
１つの特徴は、電力節約とシステム応答性改善とを促進するクライアント端末を含む。そのようなクライアント端末は、アクセスノードとワイヤレスに通信するための第１の通信インターフェースと、プロキシデバイスとワイヤレスに通信するための第２の通信インターフェースとを含み得る。処理回路は、第１の通信インターフェースと第２の通信インターフェースとに結合され得る。処理回路は、プロキシデバイスに宛てられたメッセージを送信するように適合されることができ、このメッセージは、クライアント端末のためのシグナリング／制御チャネルを監視し、シグナリング／制御チャネルからの着信メッセージを、第２の通信インターフェースを介してクライアント端末へ転送することによって、プロキシとして動作せよという要求を含む。処理回路はさらに、シグナリング／制御チャネルの監視を示す、アクセスノードへ宛てられたメッセージを、第１の通信インターフェースを使用して短いサイクルレートで送信するように適合され得る。たとえば、アクセスノードへのメッセージは、シグナリング／制御チャネルの連続的な監視を示すことができる。加えて、処理回路は、クライアント端末が第１の通信インターフェースによって示された短いサイクルレートで監視しているとアクセスノードが依然として判断している間に、第１の通信インターフェースをパワーダウンし、転送された着信メッセージについて第２の通信インターフェースを監視するように適合され得る。たとえば、第２の通信インターフェースは、約５０ミリ秒〜１００ミリ秒の間のサイクルレートで監視され得る。
【０００９】
クライアント端末は、その後、プッシュツートークＡｎｎｏｕｎｃｅ  Ｃａｌｌメッセージを備える、転送された着信メッセージをプロキシデバイスから受信することができる。クライアント端末はまた、第１の通信インターフェースがパワーダウンしているときに、プッシュツートークコール要求メッセージを、第２の通信インターフェースを介してプロキシデバイスに送信するように適合され得る。これによって、クライアント端末は、第１の通信インターフェースが再びパワーオンする前に、プッシュツートークコールを開始できるようになる。
【００１０】
同等のチャネル監視サイクルレートについては、第１の通信インターフェースを使用することは、第２の通信インターフェースよりも多くの電力を消費し得ることに留意されたい。一例では、第１の通信インターフェースの少なくとも１つは、符号分割多元接続（ＣＤＭＡ）対応インターフェースであり、または、第２の通信インターフェースは、Ｂｌｕｅｔｏｏｔｈ（登録商標）対応インターフェースである。
【００１１】
一例によれば、第１の通信インターフェースをパワーダウンすることは、第１の通信インターフェースの電力消費を低減し得るが、第１の通信インターフェースを完全にオフにするものではない。たとえば、第１の通信インターフェースをパワーダウンすることは、信号／制御チャネルを、上記の短いサイクルレートよりも長い、長いサイクルレートで監視することによって、第１の通信インターフェースの電力消費を低減することができる。たとえば、第１の通信インターフェースをパワーダウンすることは、上記の短いサイクルレートよりも長い期間にわたって第１の通信インターフェースをオフにすることを含み得る。別の例では、第１の通信インターフェースをパワーダウンすることは、転送された着信メッセージが第２の通信インターフェースを介して受信されるまで、第１の通信インターフェースをオフにすることができる。
【００１２】
１つの特徴によれば、クライアント端末における電力節約とシステム応答性とを同時に促進する、クライアント端末上で動作可能な方法が提供される。そのような方法は、クライアント端末のためのシグナリング／制御チャネルを監視し、シグナリング／制御チャネルからの着信メッセージを、第２の通信インターフェースを介してクライアント端末へ転送することによって、プロキシとして動作せよというプロキシデバイスに対する要求を含む、メッセージを送信することを含み得る。シグナリング／制御チャネルが短いサイクルレートで第１の通信インターフェースによって監視されているという、アクセスノードに対する指示を含む、メッセージも送信され得る。示された短いサイクルレートでクライアント端末が第１の通信インターフェースによって監視しているとアクセスノードが依然として判断している間に、第１の通信インターフェースは、パワーダウンされ得る。次いで、アクセス端末は、プロキシデバイスからの転送された着信メッセージについて第２の通信インターフェースを監視することができる。
【００１３】
別の特徴は、クライアント端末における電力節約とシステム応答性とを同時に促進する、プロキシデバイスを含む。そのようなプロキシデバイスは、アクセスノードと通信するための第１の通信インターフェースと、クライアント端末とワイヤレスに通信するための第２の通信インターフェースとを含み得る。同等のチャネル監視サイクルレートについては、第１の通信インターフェースは、第２の通信インターフェースよりも多くの電力を消費し得る。処理回路は、第１の通信インターフェースと第２の通信インターフェースとの間に結合され得る。一例では、第１の通信インターフェースの少なくとも１つは、符号分割多元接続（ＣＤＭＡ）対応インターフェースであり、および／または、第２の通信インターフェースは、任意のＢｌｕｅｔｏｏｔｈ対応インターフェースである。
【００１４】
処理回路は、クライアント端末がそれ自体の第１の通信インターフェースをパワーダウンしている間に、該クライアント端末のためのプロキシとして動作せよという要求を該クライアント端末から受信し、該クライアント端末のためのプロキシとして動作するという肯定応答を該クライアント端末へ送信し、該クライアント端末によって示されたサイクルレートで、第１の通信インターフェースを介して、該クライアント端末のためのシグナリング／制御チャネル上の着信メッセージを監視するように適合されることができ、ここで、クライアント端末の第１の通信インターフェースがパワーダウンされているとしても、シグナリング／制御チャネルが上記のサイクルレートでクライアント端末の第１の通信インターフェースによって監視されていることを示すために、同じサイクルレートがアクセスノードにも伝えられる。一例では、クライアント端末によって示されアクセスノードにも伝えられるサイクルレートは、連続的（たとえば連続的な監視）であり得る。あるいは、クライアント端末によって示されアクセスノードにも伝えられるサイクルレートは、たとえば、５．１２秒未満、１．２８秒未満、８００ミリ秒未満、５００ミリ秒未満、３００ミリ秒未満、２００ミリ秒未満、または１００ミリ秒未満である。処理回路はさらに、第１の通信インターフェースを介して受信された着信メッセージを、第２の通信インターフェースを介してクライアント端末に転送するように適合され得る。プロキシデバイスはまた、クライアント端末に宛てられた、アクセスノードから受信された着信メッセージに応答して、クライアント端末の代わりにアクセスノードへメッセージを送信するように構成され得る。一例によれば、クライアント端末からの要求は、クライアント識別子、クライアント端末と関連付けられた１つまたは複数のシグナリング／制御チャネル、および／または、１つまたは複数のシグナリング／制御チャネルと関連付けられたサイクルレートを含み得る。
【００１５】
１つの特徴によれば、プロキシデバイスの処理回路は、クライアント端末のためのシグナリング／制御チャネル上のプッシュツートークＡｎｎｏｕｎｃｅ  Ｃａｌｌメッセージを備える着信メッセージについて、第１の通信インターフェースを介して、クライアント端末によって示されアクセスノードに伝えられるサイクルレートで監視するように、さらに適合され得る。そのような着信メッセージを受信すると、プロキシデバイスは、第１の通信インターフェースを介して受信されたプッシュツートークＡｎｎｏｕｎｃｅ  Ｃａｌｌメッセージを、第２の通信インターフェースを介してクライアント端末に転送することができる。
【００１６】
別の特徴によれば、プロキシデバイスの処理回路は、第２の通信インターフェースを介して、クライアント端末からプッシュツートークコール要求メッセージを受信することができる。次いで、プロキシデバイスは、プッシュツートークコール要求メッセージを、第１の通信インターフェースを介してアクセスノードに転送することができる。
【００１７】
１つの特徴によれば、クライアント端末における電力節約とシステム応答性とを同時に促進する、プロキシデバイス上で動作可能な方法が提供される。一方法は、クライアント端末がそれ自体の第１の通信インターフェースをパワーダウンしている間に、該クライアント端末のためのプロキシとして動作せよという要求を、該クライアント端末から受信することを含み得る。シグナリング／制御チャネルは、クライアント端末によって示されるサイクルレートで、プロキシデバイスの第１の通信インターフェースを介して、クライアント端末のための着信メッセージについて監視されてよく、このサイクルレートはまた、クライアント端末の第１の通信インターフェースがパワーダウンされているとしても、シグナリング／制御チャネルがそのサイクルレートでクライアント端末の第１の通信インターフェースによって監視されていることを示すために、アクセスノードへ伝えられる。第１の通信インターフェースを介して受信された着信メッセージは、第２の通信インターフェースを介してクライアント端末へ転送され得る。
【００１８】
いくつかの特徴、性質、および／または利点は、全体を通じて同様の参照符号が同様のものを指す図面とともに、以下に記載する詳細な説明を読めばより明らかになろう。
【図面の簡単な説明】
【００１９】
【図１】プロキシデバイスがクライアント端末における電力節約とシステム応答性の向上とを同時に促進できる、ワイヤレス通信システムを示すブロック図。
【図２】プロキシデバイスがシステム応答性の向上とクライアント端末における電力節約との両方を促進する、少なくとも１つの例によるワイヤレス通信システムの動作を示す流れ図。
【図３】プロキシデバイスがシステム応答性の向上とクライアント端末における電力節約との両方を促進する、別の例によるワイヤレス通信システムの動作を示す流れ図。
【図４】クライアント端末が第２の通信インターフェースを通じてコール要求をプロキシデバイスに送信し、プロキシデバイスを使用してコール要求メッセージをアクセスノードへ転送できる、コール開始の例を示す流れ図。
【図５】プロキシデバイスを用いた電力節約およびレイテンシ低減のために構成された、クライアント端末の一例を示すブロック図。
【図６】プロキシデバイスを用いた電力節約とレイテンシ低減の両方のための、クライアント端末において動作可能な方法を示す流れ図。
【図７】クライアント端末における電力節約とレイテンシ低減との両方を促進するために、クライアント端末のためのプロキシの役割を果たすように構成された、プロキシデバイスの一例を示すブロック図。
【図８】クライアント端末における電力節約を促進するプロキシデバイスにおいて動作可能な方法を示す流れ図。
【図９】クライアント端末がプロキシデバイスを使用して電力節約を改善しコールセットアップにおけるレイテンシを低減できる、プッシュツートークの実施の一例を示す流れ図。
【図１０】コールセットアップにおけるレイテンシをさらに低減するための、図９の流れ図の代替形態を示す図。
【図１１】コールセットアップにおけるレイテンシをさらに低減するための、図９の流れ図のさらに別の代替形態を示す図。
【発明を実施するための形態】
【００２０】
以下の説明では、説明される実装形態の十分な理解をもたらすために、具体的な詳細が与えられる。しかし、これらの実装形態がこれらの具体的な詳細なしに実施され得ることを、当業者は理解されよう。たとえば、これらの実装形態を不必要な詳細で不明瞭にしないために、回路をブロック図で示すことがある。他の場合では、これらの実装形態を不明瞭にしないために、よく知られている回路、構造、および技法を詳細に示すことがある。
【００２１】
以下の説明では、１つまたは複数の実装形態のいくつかの特徴について説明するために特定の用語を使用する。たとえば、「アクセスノード」という用語は、通信またはデータネットワークへの、（１つまたは複数のクライアント端末のための）ワイヤレス接続を促進するデバイスを指す。「アクセスノード」という用語は、基地局、Ｎｏｄｅ  Ｂデバイス、フェムトセル、ピコセルなどを含み得る。「クライアント端末」という用語は、携帯電話、ページャ、ワイヤレスモデム、携帯情報端末、個人情報マネージャ（ＰＩＭ）、パームトップコンピュータ、ラップトップコンピュータ、および／または、少なくとも部分的にワイヤレスネットワークもしくはセルラーネットワークを通じて通信する他のモバイル通信／コンピューティングデバイスを指す。「プロキシデバイス」という用語は、プライマリ通信インターフェースを通じて、クライアント端末に宛てられた着信メッセージを受信し、かつ／または、セカンダリ通信インターフェースを通じて、そのような着信メッセージを宛先のクライアント端末へ転送する、ワイヤレス通信機能を有する任意のデバイスを含み得る。いくつかの実装形態では、プロキシデバイスの動作および／または機能は、アクセスノードにおいて統合され得る。
【００２２】
概観  
１つの特徴は、プロキシデバイスを用いて、クライアント端末がそのプライマリ通信インターフェースを（たとえばアイドルモードからプロキシモードへと）パワーダウンしている間に、クライアント端末の代わりに着信メッセージをリッスンすることによって、クライアント端末における電力節約とワイヤレスネットワークにおけるレイテンシ低減との両方を促進する、システム、装置、および方法を提供する。クライアント端末は、ワイヤレスネットワークから信号を受信するためのプライマリ通信インターフェース（たとえば、長距離、高電力インターフェース）と、近くのデバイスから短距離（たとえば、数フィート、または１マイル未満）にわたって信号を受信するためのセカンダリ通信インターフェース（または、短距離、低電力インターフェース）とを含み得る。クライアント端末は、クライアント端末のためのシグナリング／制御チャネルを監視し、第２の通信インターフェースを介してクライアント端末のための着信メッセージを転送することによって、プロキシとして動作するようにプロキシデバイスに要求するメッセージを、プロキシデバイスに送信するように適合され得る。システム応答性を改善する（すなわち、レイテンシを低減する）ために、クライアント端末はまた、クライアント端末が、比較的短いサイクルレートで、またはさらには連続的に、シグナリング／制御チャネルを監視していることを示すメッセージを、アクセスノードに送信するように適合され得る。したがって、アクセスノードは、クライアント端末が着信メッセージをより頻繁に、または連続的に受信できる状態であると、判断する。しかし、プライマリ通信インターフェースは、パワーダウンされている（たとえば、アイドルモードよりも電力消費の少ない動作モード、またはパワーオフされている）ことができ、その間、クライアント端末は、プロキシデバイスからの転送された着信メッセージについてセカンダリ通信インターフェースを監視する。
【００２３】
プロキシデバイスは、アクセスノードと通信するためのプライマリ通信インターフェースと、クライアント端末とワイヤレスに通信するためのセカンダリ通信インターフェースとを含み得る。プロキシデバイスは、クライアント端末によって示される短いサイクルレートに従って、ワイヤレスネットワークの１つまたは複数のアクセスノードによって開始または送信される、クライアント端末のシグナリング／制御チャネル上でクライアント端末に宛てられた着信メッセージを、リッスンすることができる。一例では、プロキシは、（クライアント端末によってシャットオフされたプライマリ通信インターフェースと同様の）そのプライマリ通信インターフェースを使用して、着信メッセージをリッスンまたは受信することができる。プロキシデバイスは、それがプロキシの役割を果たしているクライアント端末に宛てられたメッセージを検出すると、そのセカンダリ通信インターフェースを介して着信メッセージをクライアント端末に転送することができる。
【００２４】
セカンダリ通信インターフェースを介してプロキシデバイスからメッセージを受信すると、クライアント端末は、それ自体で、またはプロキシデバイスによる起動信号によって、アクティブモードへ切り替わり、プライマリ通信インターフェースを通じて着信メッセージを受信することができる。
【００２５】
例示的なネットワーク環境  
図１は、プロキシデバイスが、クライアント端末における電力節約と応答性の向上との両方を促進できる、ワイヤレス通信システムを示すブロック図である。クライアント端末１０２およびプロキシデバイス１０４は、通信ネットワーク１０８の一部であり得る１つまたは複数のワイヤレスアクセスノード１０６（たとえば、基地局またはＮｏｄｅ  Ｂ、フェムトセル、ピコセルなど）を介して、通信ネットワーク１０８を通じて通信することが可能であり得る。クライアント端末１０２は、（有限の）内部電源（たとえばバッテリ）によって電力供給され得る。
【００２６】
クライアント端末１０２およびプロキシデバイス１０４は、プライマリ（たとえば、高電力または長距離）通信インターフェース１１０および１１２（または送受信機）を含み得る。たとえば、プライマリ通信インターフェース１１０および１１２は、無線伝送による送信および／または受信を促進する、第１のワイヤレス送信機／受信機チェーンを各々含み得る。プライマリ通信インターフェース１１０および１１２は、クライアント端末１０２およびプロキシデバイス１０４が、それぞれ、通信ネットワーク１０８と通信するための第１のワイヤレスリンク１１８および第２のワイヤレスリンク１２２を通じて、ワイヤレスアクセスノード１０６と直接通信できるようにし得る。プライマリ通信インターフェース１１０／１１２の一例は、Ｗ−ＣＤＭＡ対応送受信機のような、長距離、高電力、および／または高帯域幅通信インターフェースであり得る。しかしながら、他の例では、そのような高電力インターフェースは、限定はされないが、Ｗ−ＣＤＭＡ、ｃｄｍａ２０００、ＧＳＭ（登録商標）、ＷｉＭａｘ、およびＷＬＡＮを含む様々な最新の通信規格に従って動作することができる。
【００２７】
クライアント端末１０２およびプロキシデバイス１０４はまた、第３のワイヤレスリンク１２０を介して互いに直接通信するための、セカンダリ（たとえば、低電力または短距離）通信インターフェース１１４および１１６（または送受信機）を含み得る。セカンダリ通信インターフェース１１４および１１６は、無線伝送による送信および／または受信を促進する、第２のワイヤレス送信機／受信機チェーンを各々含み得る。第１のワイヤレスリンク１１８および第２のワイヤレスリンク１２２は、第１の周波数帯またはチャネル上で動作することができ、一方、第３のワイヤレスリンク１２０は、第１の周波数帯またはチャネルとは異なる、または別個の、第２の周波数帯またはチャネル上で動作し得ることに、留意されたい。一実装形態では、低電力インターフェースとも呼ばれるセカンダリ通信インターフェースは、高電力インターフェースと呼ばれ得るプライマリ通信インターフェースよりも、電力消費が少ないものであり得る。「高電力」および「低電力」という用語は相対的な語であり、電力消費の特定のレベルを意味しないことを明らかにすべきである。セカンダリ通信インターフェース１１４および１１６は、単純に、所与の動作時間について、同等の動作モード（たとえばアイドルモード）では、プライマリ通信インターフェース１１０および１１２よりも電力消費が少ない。このことは、単に、より低い帯域幅および／またはより短距離のインターフェースは、より高い帯域幅および／またはより長距離のインターフェースよりも電力消費が少ないことを認めるにすぎない。
【００２８】
セカンダリ通信インターフェース１１４／１１６の一例は、時分割複信（ＴＤＤ）方式を使用するＢｌｕｅｔｏｏｔｈ対応送受信機のような、短距離、低電力、および／または低帯域幅通信インターフェースであり得る。そのようなＢｌｕｅｔｏｏｔｈインターフェースは、交互に送信および受信を同期式に行うことができる。これにより、Ｂｌｕｅｔｏｏｔｈ技術によって接続された複数の端末は、しばしばピコネットと呼ばれるアドホックな方式で通信することが可能になる。
【００２９】
クライアント端末１０２は、第１のモードおよび第２の（またはプロキシ）モードを含む、様々なモードで動作することができる。第１のモードにある間、クライアント端末は、アクティブモードまたはアイドルモードで動作することができる。アクティブモードにある間、クライアント端末１０２は、そのプライマリ通信インターフェース１１０を使用してアクセスノード１０６と通信し、メッセージを受信および／または送信するためのコール／セッションを確立することができる。アイドルモードでは、クライアント端末１０２は、そのプライマリ通信インターフェース１１０を定期的にオンにして（たとえばアウェイク状態）、アクセスノード１０６によって送信された着信メッセージ（たとえばページングメッセージ）について、１つまたは複数のシグナリング／制御チャネルを監視することができ、次いで、さらなる通信が必要ではなければ、そのプライマリ通信インターフェース１１０をオフにする（たとえばスリープ状態）ことができる。プロキシモードでは、クライアント端末は、そのプライマリ通信インターフェースを、スリープ状態または何らかの他の低電力状態へと、パワーダウンする（たとえばオフにする）ことができる。
【００３０】
クライアント端末１０２が、アイドルモードにおいてアウェイク状態とスリープ状態との間を循環する頻度は、アクセスノード１０６もしくはワイヤレスネットワークの他のエンティティに伝えられることができ、および／または、アクセスノード１０６もしくはワイヤレスネットワークの他のエンティティによって設定されることができる。たとえば、アクセスノード１０６は、クライアント端末１０２がアイドルモードにあることを知っていることができ、シグナリング／制御チャネルのサイクルレートを、従来のサイクル頻度（たとえば、ＣＤＭＡネットワークでは５．１２秒、ＵＭＴＳ（ＷＣＤＭＡ）ネットワークでは１．２８秒）に設定することができる。したがって、ワイヤレスネットワークまたはアクセスノード１０６は、ワイヤレス端末１０２が、その予想される動作モードに従って応答（たとえば、所与の時間期間内にページメッセージに返答など）するものと予想する。
【００３１】
クライアント端末１０２上で動作するいくつかのアプリケーションでは、比較的長いサイクルレート（たとえば、ＣＤＭＡネットワークでは５．１２秒ごと、またはＵＭＴＳ（ＷＣＤＭＡ）ネットワークでは１．２８秒ごと）が、許容できないシステム応答性をまねくことがある。たとえば、プッシュツートーク（ＰＴＴ）アプリケーション（たとえばＱＣｈａｔ）では、長いサイクルレートは、コールセットアップについて許容できないレイテンシをまねく。特定のアプリケーションの応答性の要件に対応するために、クライアント端末１０２またはアクセスノード１０６は、サイクルレートをかなり短くして、かなり高い頻度でシグナリング／制御チャネルを監視することができる。しかし、前述したように、サイクルレートがかなり短いと、電力消費の増大をまねく。それは、クライアント端末１０２がそのプライマリ通信インターフェース１１０をより頻繁にオンにして、プライマリ通信インターフェース１１０がオフの状態で経過する時間が短いからである。
【００３２】
比較的短いサイクルレートでシグナリング／制御チャネルを監視しながら電力を節約するために、クライアント端末１０２は、第１の（アイドル）モードから第２の（プロキシ）モードへと、その動作モード（または少なくともプライマリ通信インターフェース１１０の動作状態）を一方向的に変えるように構成され得る。動作モードのこの変化によって、プライマリ通信インターフェース１１０は、パワーダウンされる（たとえば、オフにされる、または低電力モードにされる）ことができ、それによって電力を節約する。本明細書で使用されるとき、短いサイクルレートおよび長いサイクルレートという用語は、相対的な用語であり、特定のサイクルタイミングを意味するものではない。長いサイクルレートは、単純に、短いサイクルレートよりも長いサイクル頻度である。限定ではなく一例として、少なくともいくつかの実装形態では、短いサイクルレートは、連続的なもの、または実質的に連続的なものから、約５．１２秒または１．２８秒までにわたる、サイクルレートを含み得る。様々な他の例では、短いサイクルレートは、約１秒、８００ミリ秒、５００ミリ秒、３００ミリ秒、２００ミリ秒、または１００ミリ秒以下という、サイクルレートを含み得る。「連続的な」または「連続的に」は、本明細書ではサイクルレートの値を示すために使用され得るが、そのような用語は、オンとオフとの間の循環が起こらないことを示すことがある。むしろ、本明細書では、「連続的な」または「連続的に」は、通信インターフェースがオフになることなく、ある時間期間にわたってオンのままである実装形態を指し得る。
【００３３】
アイドルモードからプロキシモードへ変化する前に、クライアント端末１０２は、プロキシデバイス１０４が、アクセスノード１０６によってクライアント端末１０２のシグナリング／制御チャネルを監視するためのプロキシの役割を果たすことを、要求することができる。すなわち、クライアント端末１０２は、そのプライマリ通信インターフェース１１０上をスキャンする（たとえば、共通のワイヤレスチャネルを通じたプロキシデバイスからのメッセージを監視する）ことによって、および／またはセカンダリ通信インターフェース１１４上をスキャンする（たとえば、プロキシデバイスの存在を示す信号を監視する）ことによって、ローカルまたは近くのプロキシデバイスを見つけることができる。いくつかの実装形態では、セカンダリ通信インターフェース１１４は、プロキシデバイスについてスキャンするために使用され得る。それは、該セカンダリ通信インターフェース１１４が、クライアント端末がプロキシモードに切り替わるときにプロキシデバイス１０４からメッセージを受信するために使用される、インターフェースであるからである。そのようなスキャンを実行する際、クライアント端末１０２は、プライマリ通信インターフェースとセカンダリ通信インターフェースとの両方を有する、可能性のあるプロキシデバイスを特定しようと試みることができる。これは、プロキシデバイス１０４が、そのプライマリ通信インターフェース１１２を介して着信メッセージ（たとえば、クライアント端末１０２に宛てられたアクセスノード１０６からのページメッセージ）を受信し、それらを、セカンダリ通信インターフェース１１６を介して意図されたクライアント端末１０２へ転送できるようにするためである。
【００３４】
１つまたは複数のプロキシデバイスがクライアント端末１０２によって特定されるときには、クライアント端末のセカンダリ通信インターフェース１１４において測定または感知された、どの利用可能なプロキシデバイスが最良または最強の短距離リンクを有するかに基づいて、クライアント端末１０２は、その「プロキシ」の働きをすべき１つのプロキシデバイス１０４を選択することができる。クライアント端末１０２は、選択されたプロキシデバイス１０４に、クライアント端末１０２のシグナリング／制御チャネルパラメータとともにプロキシ要求を送信することができる。いくつかの実装形態では、クライアント端末１０２は、１つまたは複数のプロキシデバイスとのセキュアな関係をあらかじめ確立することができる。セキュアな関係をあらかじめ確立することによって、クライアント端末１０２は、選択されたプロキシデバイス１０４に、クライアント端末１０２について検出する着信メッセージを転送することを、任せることができる。
【００３５】
選択されたプロキシデバイス１０４とクライアント端末１０２が両方とも、ワイヤレスネットワーク中の同じアクセスノード１０６をリッスンしている実装形態では、それらのクロックは、同じアクセスノードをリッスンすることによってすでに同期されている。代替的な実装形態では、クライアント端末１０２は、代わりに、シグナリング／制御チャネルのためのクロック情報を提供して、プロキシデバイス１０４が、任意の関連するシグナリング／制御チャネルのサイクルレートについて同期するために、該プロキシデバイス１０４自体のクロックをそれに同期させることができるようにし得る。
【００３６】
プロキシデバイス１０４が特定され選択されたら、クライアント端末１０２およびプロキシデバイス１１０の、それぞれのセカンダリ通信インターフェース１１４および１１６を介して、通信リンクが確立またはセットアップされ得る。たとえば、セカンダリ通信インターフェース１１６がＢｌｕｅｔｏｏｔｈ対応インターフェースである場合、プロキシデバイス１１０およびクライアント端末１０２がそれぞれのセカンダリ通信インターフェース１１６および１１４を介して互いに通信できるように、プロキシデバイス１１２は、ホップシーケンスまたは周波数ホップシーケンスと呼ばれる擬似ランダムシーケンスに従って、動作するように構成され得る。
【００３７】
選択されたプロキシデバイス１０４が、クライアント端末１０２のためのプロキシとして確立されたら、クライアント端末１０２は、ワイヤレスネットワークおよびアクセスノード１０６に、クライアント端末１０２がシグナリング／制御チャネルを短いサイクルレートで監視していることを通知することができる。上で述べられたように、いくつかの非限定的な実装形態では、クライアント端末１０２は、該クライアント端末１０２が、連続的に、または、たとえば、約１秒、８００ミリ秒、５００ミリ秒、３００ミリ秒、２００ミリ秒、または１００ミリ秒以下という短いサイクルレートで、シグナリング／制御チャネルを監視していることを、ワイヤレスネットワークおよびアクセスノード１０６に示すことができる。
【００３８】
プロキシデバイス１０４がクライアント端末１０２のためのプロキシとして確立されたときには、クライアント端末１０２はさらに、プライマリ通信インターフェース１１０についてのワイヤレスネットワーク（たとえばアクセスノード１０６）に通知することなく、その動作モードを（たとえばアイドルモードからプロキシモードへ）変更することができる。プロキシモードへ変更する際に、クライアント端末１０２は、そのプライマリ通信インターフェース１１０のすべてまたは一部をパワーダウンする（またはオフにする）ことができ、そのセカンダリ通信インターフェース１１４をアクティブ化して、プロキシデバイス１０４を介してメッセージを監視し受信することができる。プライマリ通信インターフェース１１０は、セカンダリ通信インターフェース１１４よりも多くの電力を消費するので、少なくとも比較的長い期間にわたってプライマリ通信インターフェース１１０をパワーダウンし（またはその動作状態を低下させ）、セカンダリ通信インターフェース１１４を使用して、プロキシデバイスを介して着信メッセージを監視および受信することは、クライアント端末１０２における電力節約を促進する。
【００３９】
選択されたプロキシデバイス１０４は、そのプライマリ通信インターフェース１１２を通じて、連続的に、または、アクセスノード１０６に対して示された短いサイクルレートに従って、クライアント端末１０２のシグナリング／制御チャネルを監視し、クライアント端末１０２に宛てられたメッセージを、セカンダリ通信インターフェース１１６、１１４を介して転送する。ワイヤレスネットワークおよびアクセスノード１０６は、クライアント端末１０２が、連続的に、または短いサイクルレートで、シグナリング／制御チャネルを監視していることを通知されているので、ワイヤレスネットワークは、次の監視サイクルまで待つ代わりに、メッセージ（たとえばＰＴＴ  Ａｎｎｏｕｎｃｅ  Ｃａｌｌメッセージ）を受信すると、より迅速にそのメッセージを送信することができる。クライアント端末１０２が連続的にまたは少なくとも実質的に連続的に監視していることを、クライアント端末１０２がアクセスノード１０６に示す、少なくともいくつかの例では、アクセスノード１０６は、メッセージを受信すると、それらのメッセージを即時に、または実質的に即時に、送信することができる。ページメッセージのようなメッセージを、より迅速に（たとえば即時にまたは実質的に即時に）送信することは、システムにおけるレイテンシの低減を促進する。したがって、電力節約（クライアント端末１０２における）が同時に増大されながら、システム応答性が改善される。プロキシデバイス１０４は、同様に、それぞれのシグナリング／制御チャネルを監視し、そのセカンダリ通信インターフェース１１６を介してメッセージを意図されたクライアント端末に転送することによって、他の複数のクライアント端末のための「プロキシ」の役割を果たすことができる。
【００４０】
１つの特徴によれば、クライアント端末１０２とプロキシデバイス１０４との間のプロキシ方式は、ワイヤレスネットワークとアクセスノード１０６とを含む、通信システムの残りの部分に対して透過的であり得る。したがって、アクセスノード１０６は、クライアント端末１０２がプロキシモードに変化したことを通知されず、依然としてクライアント端末１０２はアイドルモードのままで動作していると判断する。したがって、プロキシ方式は、アクセスノード１０６には透過的であり、該アクセスノード１０６は、その動作、またはそれがクライアント端末１０２と通信する方法を修正する必要はない。
【００４１】
本明細書で説明される電力節約およびレイテンシ低減技法は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、ＷｉＭａｘ(Worldwide Interoperability for Microwave Access）のような、様々なタイプのワイヤレス通信システムで実装され得る。ＣＤＭＡシステムは、広帯域（Wideband）ＣＤＭＡ（Ｗ−ＣＤＭＡ）、ＣＤＭＡ２０００などの無線アクセス技術（ＲＡＴ）を実装することができる。ＲＡＴは、無線通信のために使用される技術を指す。ＴＤＭＡシステムは、移動体通信用グローバルシステム（ＧＳＭ：Global System for Mobile Communications）などのＲＡＴを実装することができる。ユニバーサル・モバイル・テレコミュニケーション・システム（ＵＭＴＳ：Universal Mobile Telecommunication System）は、ＲＡＴとしてＷ−ＣＤＭＡおよびＧＳＭを使用するシステムであり、「第３世代パートナーシップ・プロジェクト（3rd Generation Partnership Project）」（３ＧＰＰ）という名称の組織からの文書に記載されている。ＣＤＭＡ２０００は、「第３世代パートナーシップ・プロジェクト２（3rd Generation Partnership Project 2）」（３ＧＰＰ２）という名称の組織からの文書に記載されている。３ＧＰＰおよび３ＧＰＰ２の文書は、公的に入手可能である。
【００４２】
本明細書で説明されるいくつかの実装形態では、プロキシデバイスの機能は、端末またはアクセスノードに組み込まれ得る。たとえば、アクセスノードは、サービスされている端末との通信に通常使用されるプライマリ通信インターフェースと、サービスされている端末のためのセカンダリ通信インターフェースと適合するセカンダリ通信インターフェースとの両方を有し得る。この特定の構成では、セカンダリインターフェースが、（通常、電力供給が豊富である）アクセスノードに位置するので、そのセカンダリ通信インターフェースの動作する伝送範囲を、そのような電力インターフェースの典型的な伝送範囲を超えて引き上げることが可能であり得る。このようにして、アクセスノードは、そのセカンダリ通信インターフェースを通じて、プライマリ通信インターフェースをシャットオフしたサービスされる端末（たとえばクライアント端末）の対応するセカンダリ通信インターフェースへと、受信されたメッセージ（たとえばページメッセージ）を転送することが可能になり得る。
【００４３】
プロキシデバイスを用いた頻繁なまたは連続的なチャネルの監視  
図２は、プロキシデバイスがシステム応答性の向上とクライアント端末における電力節約とを促進する、ワイヤレス通信システムの動作を示す流れ図である。この例では、説明の目的で、図１のクライアント端末１０２、プロキシデバイス１０４、およびアクセスノード１０６が使用される。クライアント端末１０２は、クライアント識別子（ＩＤ）および／またはクライアント端末１０２のチャネルのためのシグナリング／制御チャネル情報を記憶することができる。プロキシデバイス１０４は、クライアント識別子と、プロキシデバイス１０４がそのためのプロキシの役割を果たしているクライアント端末のシグナリング／制御チャネルとのクライアントプロキシリストを維持することができる。
【００４４】
クライアント端末１０２が、応答性を維持または向上させつつ、電力を節約することを望むときには、該クライアント端末１０２は、そのシグナリング／制御チャネルおよびクライアントＩＤを送信することによって、該クライアント端末１０２のプロキシとして動作するようにプロキシデバイス１０４に指示することができる（２０２）。次いで、クライアントＩＤを使用して、プロキシデバイス１０４は、クライアント端末１０２の識別子をそのプロキシリストに追加し（２０４）、情報の受信を肯定応答するために、肯定応答をクライアント端末１０２に送信する（２０６）。肯定応答を受信した（２０６）後、クライアント端末１０２とプロキシデバイス１０４との間に通信リンクが効果的にセットアップされている。
【００４５】
従来は、特定のクライアント端末に宛てられたページメッセージのようなメッセージがアクセスノードにおいて受信されるときには、アクセスノードは、クライアント端末がそのシグナリング／制御チャネルを監視する時に意図されるクライアント端末へと送信されるように、メッセージをスケジューリングしなければならない。従来のクライアント端末は、通常、バッテリ寿命を節約するように動作するので、監視サイクルと監視サイクルとの間の時間期間は、かなり長くなることがあり、その結果、アクセスノードがメッセージをクライアント端末へ送信できるようになるまでにかなりの待機時間が発生し、通信システムに追加の遅延（またはレイテンシ）をもたらす。
【００４６】
そのような遅延を低減する、またはさらには除去するための少なくとも１つの特徴によれば、クライアント端末１０２は、メッセージをアクセスノード１０６へ運び（２０８）、クライアント端末１０２がそのシグナリング／制御チャネルを連続的にまたは短いサイクルレートで監視することを示すことができる。限定ではなく一例として、クライアント端末１０２は、それがそのシグナリング／制御チャネルを約５．１２秒以下のサイクルレートで監視していることを示すことができる。いくつかの実装形態では、クライアント端末１０２は、たとえば、約１秒、８００ミリ秒、５００ミリ秒、３００ミリ秒、２００ミリ秒、または１００ミリ秒以下という、サイクルレートを示すことができる。いくつかの実装形態では、クライアント端末１０２は、それがそのシグナリング／制御チャネルを連続的に監視していることを示すことができる。メッセージをスケジューリングするための平均待機時間は、通常はサイクルレートの約半分である。したがって、約５．１２秒という従来のサイクルレートは、約２．５６秒という平均遅延時間をもたらし得る。対照的に、たとえば、約３００ミリ秒という短いサイクルレートは、約１５０ミリ秒という平均遅延時間をもたらし得るが、シグナリング／制御チャネルを連続的に監視することで、通信システムについての追加の遅延時間は、かなり少なく、または全くなくなり得る。
【００４７】
通常、従来の５．１２秒よりもかなり短いサイクルレートに従って、そのプライマリ通信インターフェースを動作させるクライアント端末は、５．１２秒のサイクルレートによって一般に消費される１ｍＡという電流よりも、かなり多くの電流を消費し得る。したがって、別の特徴によれば、クライアント端末１０２は、プロキシデバイス１０４と通信するためにその低電力のセカンダリ通信インターフェースをアクティブに保ちながら（２１０）、その高電力のプライマリ通信インターフェースをシャットダウン（またはパワーダウン）する（たとえばアイドルモードからプロキシモードに切り替える）（２１０）ことによって、かなりの量の電力を節約する。
【００４８】
アクセスノード１０６は、クライアント端末１０２に宛てられたページメッセージのようなメッセージを受信することができる（２１２）。たとえば、一実装形態では、アクセスノード１０６は、クライアント端末１０２に宛てられたＰＴＴ（たとえばＱＣｈａｔ）  Ａｎｎｏｕｎｃｅ  Ｃａｌｌメッセージを受信することができる。アクセスノード１０６は、クライアント端末１０２によって示されるサイクルレートに従ってブロードキャスト／送信されるべき、受信されたメッセージ（たとえば、ＰＴＴ  Ａｎｎｏｕｎｃｅ  Ｃａｌｌメッセージのようなページメッセージ）を処理することができる。すなわち、アクセスノード１０６は、示されたサイクルレートに従って（すなわち、クライアント端末１０２がそのシグナリング／制御チャネルを監視する時に）クライアント端末１０２へ送信されるように、メッセージをスケジューリングすることができる。クライアント端末１０２は短いサイクルレートを示したので、次のサイクルまでの時間期間は比較的短い。たとえば、クライアント端末１０２が、連続的な、または少なくとも実質的に連続的な短いサイクルレートを示した場合、アクセスノード１０６は、クライアント端末１０２のためのメッセージを即時にブロードキャスト／送信することができる。
【００４９】
アクセスノード１０６は、クライアント端末１０２に宛てられたメッセージを（たとえば１つまたは複数のパケット伝送として）ブロードキャスト／送信する（２１４）ことができ、プロキシデバイス１０４は、そのプライマリ通信インターフェースを通じてブロードキャストを受信する（２１６）ことができる。ブロードキャストが受信されたら、プロキシデバイス１０４は、着信メッセージがそのプロキシリスト中のクライアント端末１０２に宛てられているかどうかを確認することができる（２１８）。メッセージがプロキシデバイス１０４のプロキシリストの中のクライアント端末に宛てられている場合、プロキシデバイス１０４は、そのセカンダリ通信インターフェースを介して、着信メッセージを指定のクライアント端末１０２に転送することができる（２２０）。
【００５０】
クライアント端末１０２は、そのセカンダリ通信インターフェースを介して、着信メッセージを受信することができる。そのセカンダリ通信インターフェースを介してメッセージを受信すると、クライアント端末１０２は、そのプライマリ通信インターフェースをアクティブ化することができる（２２２）。いくつかの実装形態では、プロキシデバイス１０４は、クライアント端末１０２にそのプライマリ通信インターフェースをアクティブ化させる起動信号を、セカンダリ通信インターフェースを介してクライアント端末１０２へ送信することができる。そのプライマリ通信インターフェースがアクティブ化されると、クライアント端末１０２は、アクセスノード１０６へのプライマリ通信インターフェースを介して、アクセスノード１０６との接続を再確立することができる（２２４）。クライアント端末１０２は、次いで、肯定応答メッセージ（たとえばＡｃｃｅｐｔ  Ｃａｌｌメッセージ）を送信することができる（２２６）。
【００５１】
たとえば、以上で言及したＰＴＴ実装形態では、クライアント端末１０２は、そのセカンダリ通信インターフェースを通じて、プロキシデバイス１０４からＡｎｎｏｕｎｃｅ  Ｃａｌｌメッセージを受信し、そのプライマリ通信インターフェースをアクティブ化し、そのプライマリ通信インターフェースを介してＡｃｃｅｐｔ  Ｃａｌｌメッセージをアクセスノード１０６に送信することができる。発信ＰＴＴ端末によってコール受入れメッセージが受信されると、クライアント端末１０２および発信ＰＴＴ端末は、２つの端末の間のメディア通信を開始することができる。
【００５２】
プロキシデバイスを使用したメッセージへの応答  
図３は、プロキシデバイスが、クライアント端末の代わりに、ページメッセージのような着信メッセージに応答する、別の例によるワイヤレス通信システムの動作を示す流れ図である。図３に示されるワイヤレス通信システムの動作は、図２に示され上で説明された動作と同様である。不必要な繰り返しを避けるために、詳細な説明は、主に、図２とは異なる特徴を対象とする。一般に、クライアント端末１０２は、プロキシデバイス１０４を使用して、そのシグナリング／制御チャネルを監視することができ（たとえば３０２〜３０６）、クライアント端末１０２が短いサイクルレートでそのようなチャネルを監視していることを、アクセスノード１０６に対して示すことができる（３０８）。クライアント端末１０２は、次いで、そのプライマリ通信インターフェースをシャットダウン（またはパワーダウン）することができる（３１０）。アクセスノード１０６は、クライアント端末１０２に宛てられた着信メッセージ（たとえば、ＰＴＴ  Ａｎｎｏｕｎｃｅ  Ｃａｌｌメッセージのようなページメッセージなど）を受信して処理し（３１２）、クライアント端末１０２に宛てられたメッセージをブロードキャスト／送信することができる（３１４）。プロキシデバイス１０４は、そのプライマリ通信インターフェースを通じてブロードキャストを受信し（３１６）、メッセージがそのプロキシリスト中のクライアント端末１０２に宛てられているかどうかを確認し（３１８）、そのセカンダリ通信インターフェースを介して指定のクライアント端末１０２にメッセージを転送することができる（３２０）。いくつかの実装形態では、プロキシデバイス１０４は、クライアント端末１０２にそのプライマリ通信インターフェースをアクティブ化させる起動信号を、セカンダリ通信インターフェースを介してクライアント端末１０２へ送信することができる。
【００５３】
図３に示される実装形態では、クライアント端末１０２が転送されたメッセージを受信し、そのプライマリ通信インターフェースをアクティブ化し、次いで肯定応答をアクセスノード１０６へ送信するために必要な時間に起因するレイテンシは、プロキシデバイス１０４を使用して肯定応答をアクセスノード１０６へ送信することによって、低減され得る。具体的には、プロキシデバイス１０４は、クライアント端末１０２の代わりに、肯定応答をアクセスノード１０６へ送信することができ（３２２）、その間、クライアント端末１０２は、そのプライマリ通信インターフェースをアクティブ化する（３２４）。
【００５４】
クライアント端末１０２は、そのセカンダリ通信インターフェースを介して、プロキシデバイス１０４からメッセージを受信することができる。そのセカンダリ通信インターフェースを介してメッセージを受信すると、クライアント端末１０２は、そのプライマリ通信インターフェースをアクティブ化することができ（３２４）、プライマリ通信インターフェースを介してアクセスノード１０６との接続を再確立することができる（３２６）。
【００５５】
たとえば、ＰＴＴの実装形態（たとえばＱＣｈａｔ）では、クライアント端末１０２のためにアクセスノード１０６からブロードキャスト／送信されるＡｎｎｏｕｎｃｅ  Ｃａｌｌメッセージは、プロキシデバイス１０４によって受信される。Ａｎｎｏｕｎｃｅ  Ｃａｌｌメッセージを受信すると、プロキシデバイス１０４は、クライアント端末１０２の代わりに、Ａｃｃｅｐｔ  Ｃａｌｌメッセージをアクセスノード１０６に送信することができる。発信ＰＴＴ端末によってＡｃｃｅｐｔ  Ｃａｌｌメッセージが受信されると、クライアント端末１０２および発信ＰＴＴ端末は、２つの端末の間のメディア通信を開始することができる。
【００５６】
プロキシデバイスの支援を用いたコールの開始  
図４は、クライアント端末が第２の通信インターフェースを通じてコール要求をプロキシデバイスに送信し、プロキシデバイスを使用してコール要求メッセージをアクセスノードへ転送できる、コール開始の一例を示す流れ図である。前述のように、図１、図２、および図３を参照すると、クライアント端末１０２は、クライアント識別子（ＩＤ）、および／または、クライアント端末１０２のチャネルのためのシグナリング／制御チャネル情報を記憶し得る。プロキシデバイス１０４は、クライアント識別子のクライアントプロキシリストと、そのためのプロキシとしてプロキシデバイス１０４が動作しているクライアント端末のシグナリング／制御チャネルとを維持し得る。
【００５７】
クライアント端末１０２は、そのシグナリング／制御チャネルおよびクライアントＩＤを送信することによって、そのプロキシとして動作するように、プロキシデバイス１０４に指示することができる（４０２）。次いで、クライアントＩＤを使用して、プロキシデバイス１０４は、クライアント端末１０２の識別子をそのプロキシリストに追加し（４０４）、情報の受信を肯定応答するために、肯定応答をクライアント端末１０２に送信する（４０６）。肯定応答を受信した後、クライアント端末１０２とプロキシデバイス１０４との間に、通信リンクが効果的にセットアップされている。
【００５８】
プロキシデバイス１０４から肯定応答を受信すると、クライアント端末１０２は、プロキシデバイス１０４と通信するためにその低電力のセカンダリ通信インターフェースをアクティブに保ちながら、その高電力のプライマリ通信インターフェースをシャットダウン（またはパワーダウン）する（たとえばアイドルモードからプロキシモードに切り替える）（４０８）ことによって、電力を節約することができる。
【００５９】
プライマリ通信インターフェースがパワーダウンされている間、ユーザは、クライアント端末１０２を使用してコールを開始し得る（４１０）。たとえば、ユーザは、別のクライアント端末に関するユーザアドレス（たとえば、電話番号、ＰＴＴ識別子）を選択し、送信ボタンを押し得る。クライアント端末がコールを模するときには、２つの端末の間のコールセットアップを要求する、コール要求メッセージが生成されて、受信クライアント端末に送信され得る。プライマリ通信インターフェースがパワーダウンされているので、コール要求メッセージを送信する前にプライマリ通信インターフェースをアクティブ化するために、かなりの時間量が必要とされ得る。したがって、クライアント端末１０２は、パワーダウンされているそのプライマリ通信インターフェースの代わりに、アクティブであるそのセカンダリ通信インターフェースを使用して、コール要求メッセージをプロキシデバイス１０４に送信するように適合され得る（４１２）。コール要求メッセージは、クライアント端末１０２がそのプライマリ通信インターフェースをアクティブ化し（４１６）、そのプライマリ通信インターフェースを介してアクセスノード１０６への接続を再確立する（４１８）前に、またはその間に、プロキシデバイス１０４によってネットワーク（またはアクセスノード１０６）へ転送され得る（４１４）。
【００６０】
セカンダリ通信インターフェースを使用して、コール要求メッセージをクライアント端末１０２からプロキシデバイス１０４へと送信することで、クライアント端末１０２がそのプライマリ通信インターフェースをアクティブ化しそのプライマリ通信インターフェースを介してアクセスノード１０６への接続を確立するのに必要とされる時間による、従来の端末によって経験される遅延を、大きく低減することができる。
【００６１】
プロキシデバイスの支援を用いた例示的なプッシュツートークの実施  
図９は、クライアント端末がプロキシデバイスを使用して電力節約を改善しコールセットアップにおけるレイテンシを低減できる、プッシュツートークの実施の一例を示す流れ図である。上で述べられたように、図１、図２、および図３を参照すると、クライアント端末１０２は、プロキシデバイス１０４を使用してプロキシモードで動作して、１つまたは複数のシグナリング／制御チャネルを監視することができる。この例では、発信クライアント端末９０２が、ターゲットクライアント端末９０１とのプッシュツートーク（ＰＴＴ）コールを開始および確立することを望む。発信クライアント端末９０２とターゲットクライアント端末９０１との間の通信は、たとえば、地域ディスパッチャ９０４（たとえばアクセスノードなど）およびマルチポイント制御ユニット（ＭＣＵ）９０６を備える、ワイヤレス通信ネットワークを介して達成され得る。この例では、ターゲットクライアント端末９０１がプロキシモード（たとえば、プライマリまたは第１の通信インターフェースの消費電力がアイドルモードよりも低い動作モード）で動作する間に、プロキシデバイス９０３は、ターゲットクライアント端末９０１を支援していることができる。いくつかの例では、そのようなプロキシモードは、ターゲットクライアント端末９０１がそのプライマリ（または第１の）通信インターフェースをそれが部分的にまたは完全にパワーオフされるように操作する、低電力モードであり得る。
【００６２】
発信クライアント端末９０２のユーザは、ユーザが通信することを望むターゲットクライアント端末９０１を選択することができる。たとえば、ユーザは、ターゲットクライアント端末のアドレス（たとえば電話番号）を選択することができ、プッシュツートークボタンを押して、通信セッションを開始することができる（９０８）。発信クライアント端末９０２は、次いで、コール要求９１０を地域ディスパッチャ９０４に送信する。地域ディスパッチャ９０４は、他のネットワークエンティティ間で通信し、ＭＣＵ  ９０６へ通信を転送するように適合された、ネットワークエンティティを備え得る。
【００６３】
地域ディスパッチャ９０４によってコール要求が受信されると、たとえば、地域ディスパッチャ９０４において実行されるＱＣｈａｔ  Ａｐｐｌｉｃａｔｉｏｎ  Ｓｅｒｖｅｒ（ＱＡＳ）は、コール処理９１２を実行することができ、ターゲットクライアント端末９０１によって示されるサイクルレートに従ってＡｎｎｏｕｎｃｅ  Ｃａｌｌメッセージをブロードキャスト／送信することができる。図１〜図３を参照して述べたように、ターゲットクライアント端末９０１は、該ターゲットクライアント端末９０１の代わりにプロキシデバイス１０４を使用してコール要求を監視しているが、ターゲットクライアント端末９０１は、該ターゲットクライアント端末９０１が短いサイクルレートに従って、またはさらには連続的に、そのようなページメッセージを監視していることを、地域ディスパッチャ９０４に対して通知していることができる。したがって、地域ディスパッチャ９０４は、ターゲットクライアント端末９０１によって通知されたサイクルレートに応じて、ターゲットクライアント端末９０１に宛てられたコール告知メッセージを、比較的迅速に、または受信したら即時に、ブロードキャスト／送信することができる（９１４）。
【００６４】
この例では、プロキシデバイス９０３は、ターゲットクライアント端末９０１の代わりにコール告知を監視している。地域ディスパッチャ９０４は、ターゲットクライアント端末９０１がシグナリング／制御チャネルを短いサイクルレートで監視していると判断しているが、ターゲットクライアント端末９０１は、実際には、より長いサイクルレートでシグナリング／制御チャネルを監視しており、または全く監視を行っていない。地域ディスパッチャ９０４は、ターゲットクライアント端末９０１が短いサイクルレートに従って監視していると判断している間に、ターゲットクライアント端末９０１の代わりにプロキシデバイス９０３を使用してコール告知を監視することで、ＱＡＳコール処理９１２を大幅に低減することができる。それは、地域ディスパッチャ９０４が、比較的長いサイクルレートに従った場合よりも比較的迅速に（平均して）、コール告知をブロードキャストできる（９１４）からである。
【００６５】
ターゲットクライアント端末９０１の代わりにシグナリング／制御チャネルを監視しているプロキシデバイス９０３は、ターゲットクライアント端末９０１に宛てられたコール告知を受信することができ、その告知を、そのセカンダリ通信インターフェースを介してターゲットクライアント端末９０１に転送することができる（９１６）。コール告知を受信する（９１６）と、ターゲットクライアント端末９０１は、プライマリ通信インターフェースを（たとえばプロキシモードから接続されたモードまたはアイドルモードへと）アクティブ化することができ、コール受入れメッセージ９１８を（プライマリ通信インターフェースを介して）地域ディスパッチャ９０４へ送信する。次いで、発言権許可（floor grant）９２０が、ネットワーク（たとえば地域ディスパッチャ９０４）から発信クライアント端末９０２へ送信され得る。次いで、発信クライアント端末９０２は、コール要求が受け入れられ、ユーザが自由にターゲットクライアント端末９０１との会話を開始できる（９２６）ことを示す、ユーザのためのトークトーンを再生することができる（９２２）。
【００６６】
ターゲットクライアント端末９０１は、ネットワーク（たとえば地域ディスパッチャ９０４）に透過的な、またはネットワークに知られていない、プロキシモードで動作し、これによって、ネットワークから見た比較的低い（制御／信号チャネル監視）サイクルレートを維持する。これによって、ネットワークは、ＱＡＳコール処理９１２をより迅速に実行し、初期のＰＴＴレイテンシ（ＴA）９２４を大幅にまたは顕著に低減できるようになる。たとえば、短い制御／信号チャネル監視サイクルレートの使用は、レイテンシをたとえば約８５から９０ミリ秒短縮する初期のＰＴＴレイテンシ（ＴA）９２４を達成することができる。
【００６７】
図１０は、コールセットアップにおけるレイテンシをさらに低減するための、図９の流れ図の代替形態を示す図である。この代替的な手法では、ターゲットクライアント端末９０１がプロキシデバイス９０３にそのプロキシの役割を果たすように要求すると、ターゲットクライアント端末９０１は、それが制御／信号チャネルを連続的に監視していることを、ＱＣｈａｔ  Ａｐｐｌｉｃａｔｉｏｎ  Ｓｅｒｖｅｒ（たとえば地域ディスパッチャ９０４上で動作する）に通知する。したがって、地域ディスパッチャ９０４は、コール告知を即時に送信またはブロードキャストできる（９１４）（たとえば、ターゲットクライアント端末のページングサイクルを待つという遅延なしに）ので、ＱＡＳコール処理９１２（図９）を回避または低減することができる。平均して、ページングサイクル遅延の半分を、このことで取り除くことができる。短い制御／信号チャネル監視サイクルレートの使用は、レイテンシをたとえばさらに約１５から２０ミリ秒短縮する初期のＰＴＴレイテンシ（ＴB）１０２４を達成することができる。
【００６８】
図１１は、コールセットアップにおけるレイテンシをさらに低減するための、図９の流れ図のさらに別の代替形態を示す。この代替的な手法では、図１０の手法と同様に、ターゲットクライアント端末９０１がプロキシデバイス９０３にそのプロキシの役割を果たすように要求すると、ターゲットクライアント端末９０１は、それが制御／信号チャネルを連続的に監視していることを、ＱＣｈａｔ  Ａｐｐｌｉｃａｔｉｏｎ  Ｓｅｒｖｅｒ（たとえば地域ディスパッチャ９０４上で動作する）に通知する。したがって、地域ディスパッチャ９０４は、コール告知を即時に送信またはブロードキャストできる（９１４）（たとえば、ターゲットクライアント端末のページングサイクルを待つという遅延なしに）ので、ＱＡＳコール処理９１２（図９）を回避または低減することができる。加えて、コール告知を受信すると（９１４）、プロキシデバイス９０３は、それをターゲット端末９０１に転送するだけでなく、また、ターゲットクライアント端末９０１の代わりに、コール受入れメッセージ１１１８を地域ディスパッチャ９０４へ送信する。この手法では、ターゲットクライアント端末９０１は、プロキシデバイス９０３が代わりにコールの受入れ１１１８を送信したことを知っており、したがってコール受入れメッセージ自体を送信する必要がない。短い制御／信号チャネル監視サイクルレートの使用は、レイテンシをたとえばさらに約１００ミリ秒短縮する初期のＰＴＴレイテンシ（ＴC）１１２４を達成することができる。
【００６９】
例示的なクライアント端末  
図５は、プロキシデバイスを用いて電力を節約しレイテンシを低減するように構成された、クライアント端末の一例のブロック図である。クライアント端末５０２は、小型および／または低電力のマイクロプロセッサなどの処理回路５０４を含み得る。クライアント端末５０２はまた、クライアント端末５０２が、たとえばネットワークアクセスノード５０８への／からのリンクを介して、第１のワイヤレスネットワーク上のデバイスと通信できるようにする、第１の（たとえばプライマリ）通信インターフェース５０６を含み得る。たとえば、第１の通信インターフェース５０６は、ＣＤＭＡ対応ネットワークなどを通じた、長距離通信のために使用される、高電力通信インターフェースであり得る。クライアント端末５０２はまた、プロキシデバイス５１２への直接ワイヤレスリンクのような、クライアント端末５０２を第２のワイヤレスネットワーク上のデバイスへ通信可能に結合する、第２の（たとえばセカンダリ）通信インターフェース５１０を含み得る。たとえば、第２の通信インターフェース５１０は、Ｂｌｕｅｔｏｏｔｈ対応ネットワークなどを通じた、短距離通信のために使用される、低電力通信インターフェースであり得る。クライアント端末５０２は、バッテリ駆動であってよく、そのようなバッテリが供給できる電力量は限られている。
【００７０】
従来の手法では、クライアント端末の第１の通信インターフェースは、連続的に（たとえばアイドルモードでの連続的な監視）、または定期的に（たとえばスロットアイドルモード（slotted idle mode））のいずれかでアクティブであり（またはパワーオンされ）、着信メッセージ（たとえばページングメッセージ）をリッスンして、クライアント端末の内部電源（たとえばバッテリ）から電力を失わせる。たとえば、シグナリング／制御チャネルは、ワイヤレスネットワークに関するクライアント端末の間で同期式に共有される周波数帯であることができ、その際、クライアント端末は、端末固有のメッセージをそこにおいて受信し得る固有のフレームを割り当てられ得る。そのようなシグナリング／制御チャネルにより、クライアント端末は、不連続受信動作（たとえばＤＲＸ）に入ることができ、それによって、該クライアント端末は、連続的にではなく定期的に、その第１の通信インターフェースを使用して、メッセージについてシグナリング／制御チャネルを監視する。不連続受信動作の間、クライアント端末は、「スリープ」状態と「アウェイク」状態との間を循環する。すなわち、クライアント端末は、その割り当てられたフレームより前にスリープ状態から起動し、アウェイク状態に入り、その割り当てられたフレームの間にメッセージについてシグナリング／制御チャネルを処理または監視し、追加の通信が必要ではない場合、スリープ状態に戻る。
【００７１】
不連続受信動作におけるサイクルレートがより長い（すなわち、割り当てられたフレームの間の時間がより長い）と、より多くの電力が節約されるが、アクセスノードがメッセージを送信するために次の割り当てられたフレームまで待機しなければならないので、追加のレイテンシをワイヤレスシステムにもたらす。いくつかのアプリケーションでは、従来のサイクルレート（たとえば５．１２秒ごと）は、追加のレイテンシに起因する、許容不可能なシステム応答性をまねき得る。たとえば、プッシュツートーク（ＰＴＴ）アプリケーションのために適合されたクライアント端末では、長いサイクルレートは、コールセットアップについて許容できないレイテンシをまねき得る。特定のアプリケーションの応答性要件に適応するために、クライアント端末またはアクセスノードは、サイクルレートをかなり増大させて、かなり高い頻度でシグナリング／制御チャネルを監視することができる。しかし、かなり短いサイクルレートは、プライマリ通信インターフェースがより頻繁にパワーオンされることにより、クライアント端末の内部バッテリに対して消費の増大をまねく。
【００７２】
少なくとも１つの特徴によれば、クライアント端末５０２は、外部のまたは別個のプロキシデバイスを用いることによって、電力節約を改善しレイテンシを低減するように適合され得る。電力節約の改善とレイテンシ低減とを達成するために、クライアント端末５０２は、その処理回路５０４、第１の通信インターフェース５０６、および／または第２の通信インターフェース５１０を介して１つまたは複数の動作を実行するように適合され得る。
【００７３】
クライアント端末５０２は、該クライアント端末５０２がアイドルモードからプロキシモードに切り替わるときに、プロキシデバイスが該クライアント端末５０２のプロキシの役割を果たしてそのシグナリング／制御チャネルを監視することを要求することによって、電力節約を改善することができる。プロキシモードでは、クライアント端末５０２は、その第１の通信インターフェース５０６をパワーダウンすることによって電力を節約することができる。第１の通信インターフェース５０６をパワーダウンすることは、メッセージが第２の通信インターフェース５１０を介して受信されるまで第１の通信インターフェース５０６をオフにすること、または、アクセスノードに対して示された短いサイクルレートよりも相対的に長いサイクルレートで第１の通信インターフェース５０６をオンとオフとの間で循環させることを含み得る。
【００７４】
クライアント端末５０２がその第１の通信インターフェース５１０をパワーダウンさせているときにレイテンシを低減するために、クライアント端末５０２は、クライアント端末５０２が短いサイクルレートでそのシグナリング／制御チャネルを監視することを示すメッセージを、アクセスノード（または第１のワイヤレスネットワーク）に送信することができる。限定ではなく例として、少なくともいくつかの実装形態では、クライアント端末５０２は、ＰＴＴアプリケーションを動作させるために適合され得る。クライアント端末がＰＴＴコール要求をクライアント端末５０２に送信するときから、ユーザが音声データの送信を開始できるようになるときまでに、ユーザによって経験される従来の遅延を低減するために、クライアント端末５０２は、該クライアント端末５０２が約５．１２秒に満たない短いサイクルレートで関連するシグナリング／制御チャネルを監視するというメッセージを、アクセスノードに送信することができる。いくつかの例では、ＰＴＴアプリケーションのためのクライアント端末５０２は、たとえば、１秒、８００ミリ秒、５００ミリ秒、３００ミリ秒、２００ミリ秒、または１００ミリ秒以下という、短いサイクルレートを示し得る。
【００７５】
プロキシを割り当て、そのシグナリング／制御チャネルを監視する短いサイクルレートをアクセスノード（または第１のワイヤレスネットワーク）に示したので、クライアント端末５０２は、プロキシデバイスによって転送されたメッセージについて、その第２の通信インターフェース５１０を監視することができる。少なくともいくつかの実装形態では、クライアント端末５０２は、その第２の通信インターフェース５１０を、短いサイクルレートで監視するように適合され得る。限定ではなく例として、クライアント端末は、約５０から１００ミリ秒の間のサイクルレートで、その第２の通信インターフェース５１０を監視することができる。
【００７６】
いくつかのオプションの特徴によれば、クライアント端末は、さらに、コール開始メッセージをその第２の通信インターフェース５１０を介してプロキシデバイスに送信するように適合され得る。従来のクライアント端末では、ユーザが別の端末へコール（たとえばＰＴＴコール）を行うことを選択するときには、クライアント端末は、コール開始メッセージをアクセスノード（または第１のワイヤレスネットワーク）に送信する前に、パワーアップし、その第１の通信インターフェースを介してアクセスノードに接続することができる。そのようなパワーアップおよび接続プロセスは、コール開始メッセージがアクセスノードに送信される前に、多くの時間を必要とし得る。したがって、１つの特徴によれば、クライアント端末５０２は、クライアント端末が第１の通信インターフェース５０６をパワーアップする（たとえば、プロキシモードからアクティブモードに切り替わる）前に、またはその間に、コール開始メッセージをその第２の通信インターフェース５１０を介してプロキシデバイスに送信するように適合され得る。クライアント端末は、それに従って、最大で２００ミリ秒のレイテンシをなくすことができる。
【００７７】
図６は、プロキシデバイスを用いることによる電力節約とレイテンシ低減の両方のための、クライアント端末において動作可能な方法を示す流れ図である。最初に、プロキシデバイスがクライアント端末のためのプロキシの役割を果たすべきであることを示すメッセージが、プロキシデバイスに送信され得る（６０２）。このメッセージは、クライアント識別子と、１つまたは複数のシグナリング／制御チャネルと、クライアント端末と関連付けられた１つまたは複数のシグナリング／制御チャネルを監視するための短いサイクルレートとを含み得る。クライアント端末は、また、１つまたは複数のシグナリング／制御チャネルが短いサイクルレートでクライアント端末によって監視されていることを示すメッセージを、アクセスノードへ送信することができる（６０４）。少なくともいくつかの実装形態では、アクセスノードへのメッセージは、約５．１２秒未満、または約１．２８秒未満というサイクルレートの範囲から選ばれたサイクルレートを示し得る。いくつかの例では、アクセスノードへのメッセージは、たとえば、約１秒、８００ミリ秒、５００ミリ秒、３００ミリ秒、２００ミリ秒、または１００ミリ秒以下というサイクルレートを示し得る。すなわち、クライアント端末は、それが１つまたは複数のシグナリング／制御チャネルを、１秒ごとに、８００ミリ秒ごとに、５００ミリ秒ごとに、３００ミリ秒ごとに、２００ミリ秒ごとに、１００ミリ秒ごとに、連続的に、またはこれらの間のいずれかで監視していることを、アクセスノードに示すことができる。
【００７８】
クライアント端末は、次いで、アクセスノードに示された短いサイクルレートよりも長い間隔にわたって、その第１の通信インターフェースをパワーダウンすることができる（６０６）。いくつかの実装形態では、第１の通信インターフェースは、ページメッセージまたは起動メッセージがプロキシデバイスから第２の通信インターフェースを通じて受信されるまで、連続的にパワーオフされ得る。他の実装形態では、クライアント端末は、第１の通信インターフェースが該短いサイクルレートよりも長いサイクルレートでオンとオフとの間を循環され得るように、第１の通信インターフェースを循環させることができる。限定ではなく例として、クライアント端末は、約５．１２秒またはそれ以上を含む間隔にわたって、その第１の通信インターフェースをオフにすることができる。
【００７９】
第１の通信インターフェースがパワーダウンされた状態で、クライアント端末は、プロキシデバイスからの着信メッセージについて、その第２の通信インターフェースを監視することができる（６０８）。少なくともいくつかの実装形態では、クライアント端末は、第２の通信インターフェースがオンとオフとの間で切り替わるサイクルで、その第２の通信インターフェースを監視することができる。限定ではなく例として、第２の通信インターフェースは、約５０から１００ミリ秒の間のサイクルレートで監視され得る。メッセージがプロキシデバイスから第２の通信インターフェースを介して受信された場合（６１０）、クライアント端末は、その第１の通信インターフェースをパワーアップし（６１２）、第１の通信インターフェースを介してアクセスノードに接続することができる（６１４）。
【００８０】
少なくとも１つのオプションの特徴によれば、クライアント端末は、第１の通信インターフェースがパワーダウンされているときには、コール要求メッセージを、第２の通信インターフェースを介してプロキシデバイスに送信する（６１６）ように適合され得る。コール要求メッセージは、クライアント端末がその第１の通信インターフェースをパワーアップする（６１２）前に、または、クライアント端末がその第１の通信インターフェースをパワーアップするのと同時に、プロキシデバイスに送信され得る。第２の通信インターフェースを介してコール要求メッセージを受信するプロキシデバイスは、次いで、コール要求メッセージをアクセスノードに転送することができる。
【００８１】
例示的なプロキシデバイス  
図７は、クライアント端末における電力節約とレイテンシ低減との両方を促進するために、クライアント端末のためのプロキシの役割を果たすように構成された、プロキシデバイスの一例のブロック図である。プロキシデバイス７０２は、処理回路７０４と、第１の（たとえばプライマリ）通信インターフェース７０６と、第２の（たとえばセカンダリ）通信インターフェース７０８とを含み得る。第１の通信インターフェース７０６は、第１のワイヤレス通信リンク７１０を介して、プロキシデバイス７０２をアクセスノードに通信可能に結合する。たとえば、第１の通信インターフェース７０６は、ＣＤＭＡ対応ネットワークなどを通じた長距離通信に使用される、高電力インターフェースであることができる。第２の通信インターフェース７０８は、プロキシデバイス７０２をクライアント端末７１２に結合するために使用され得る。たとえば、第２の通信インターフェース７０８は、Ｂｌｕｅｔｏｏｔｈ対応ネットワークなどを通じた短距離通信に使用される、より低電力のインターフェースであることができる。
【００８２】
１つの動作モードでは、プロキシデバイス７０２は、その第１の通信インターフェース７０６を介してクライアントプロキシリスト７１４上で特定されたクライアント端末のためのシグナリング／制御チャネルを監視するように構成され得る。すなわち、プロキシデバイス７０２は、１つまたは複数のクライアント端末のためのプロキシの役割を果たすことに同意していることがあり得る。そのようなプロキシモードでは、プロキシデバイス７０２は、その第１の通信インターフェース７０６を使用して、そのプロキシの役割を果たすことを同意したクライアント端末に関連するシグナリング／制御チャネルを監視することができる。プロキシデバイス７０２は、クライアント端末によってアクセスノードに対して示された短いサイクルレートで、シグナリング／制御チャネルを監視する。プロキシデバイス７０２は、短いサイクルレートを示すメッセージをクライアント端末から受信することができ、またはプロキシデバイス７０２は、アクセスノードのための、クライアント端末からブロードキャストされた、短いサイクルレートを示すメッセージを利用することができる。
【００８３】
メッセージがシグナリング／制御チャネルを介して受信された場合、プロキシデバイス７０２は、メッセージを、その第２の通信インターフェース７０８を通じて、対応するクライアント端末７１２へのリンクを介して転送することができる。メッセージを転送する際、プロキシデバイス７０２は、そのメッセージを（第１の通信インターフェース７０６に関連した）第１のプロトコルから（第２の通信インターフェース７０８に関連した）第２のプロトコルに変換することができる。
【００８４】
いくつかのオプションの特徴によれば、プロキシデバイス７０２は、さらに、クライアント端末の代わりに１つまたは複数のメッセージを送信するように適合され得る。たとえば、クライアント端末のためのメッセージがシグナリング／制御チャネルを介して受信された場合、プロキシデバイス７０２は、上で論じられたようにメッセージを転送することができ、さらに、受信されたメッセージに応答して、クライアント端末の代わりに、肯定応答（たとえばＰＴＴ  Ａｃｃｅｐｔ  Ｃａｌｌメッセージ）をアクセスノードに送信することができる。クライアント端末の代わりに肯定応答を送信することによって、約１００ミリ秒ものレイテンシを避けることができ、このレイテンシは、クライアント端末がフルパワーになる（たとえば、第１の通信インターフェースが起動する、ＲＦがウォームアップする、アクセスノードに接続する）ための時間に関係する。
【００８５】
プロキシデバイス７０２は、また、第２の通信インターフェースを介してクライアント端末からコール開始メッセージ（たとえばＰＴＴコール要求メッセージ）を受信するように適合され得る。プロキシデバイス７０２は、その第１の通信インターフェース７０６を介してコール開始メッセージをアクセスノードに転送することができる。したがって、クライアント端末がフルパワーになるための時間（約２００ミリ秒程度）に関係したレイテンシは、クライアント端末の第１の通信インターフェースがパワーアップしている間にコール開始メッセージを送信することによって、避けられる。
【００８６】
図８は、クライアント端末における電力節約を促進するためのプロキシデバイスにおいて動作可能な方法を示す流れ図である。プロキシデバイスにクライアント端末のためのプロキシの役割を果たすように要求する、クライアント端末識別子とクライアント端末に関連したシグナリング／制御チャネルとを含む要求が、クライアント端末から受信され得る（８０２）。そのような要求は、プロキシデバイスの第１の（たとえばプライマリ）通信インターフェースまたは第２の（たとえばセカンダリ）通信インターフェースのいずれかで受信され得る。要求の確認がクライアント端末に送信されることができ（８０３）、その時点で、クライアント端末は、その第１の通信インターフェースをパワーダウンし得る。次いで、クライアント識別子とクライアント端末に関連したシグナリング／制御チャネルとが、プロキシデバイス上のクライアントプロキシリストに追加され得る（８０４）。次いで、効果的に、プロキシデバイスは、クライアント端末に宛てられたメッセージをアクセスノードから受信することができる。
【００８７】
次いで、プロキシデバイスは、第１の通信インターフェースを通じて、クライアント端末のシグナリング／制御チャネル上のメッセージをリッスンまたは監視することができる（８０６）。プロキシデバイスは、受信されたメッセージがプロキシリスト上のクライアント端末に宛てられているかどうかを判定することができる（８０８）。プロキシリスト中のクライアント端末向けのメッセージが受信されない場合、プロキシデバイスは、その第１の通信インターフェースを介して、クライアント端末のシグナリング／制御チャネル上のメッセージをリッスンし続けることができる（８０６）。プロキシデバイスが、プロキシリスト上のクライアント端末を対象とするメッセージを受信した場合、プロキシデバイスは、その第２の通信インターフェースを介して、メッセージをクライアント端末へ転送する（８１０）。
【００８８】
いくつかのオプションの特徴によれば、プロキシデバイスは、クライアント端末の代わりに、肯定応答メッセージをアクセスノードに送信することができる（８１２）。たとえば、受信されたメッセージが、ＰＴＴ  Ａｎｎｏｕｎｃｅ  Ｃａｌｌメッセージのようなページメッセージを含む場合、プロキシデバイスは、コール受入れメッセージをクライアント端末の代わりにアクセスノードへ送信して、クライアント端末がコール受入れメッセージ自体を送信するのに必要な時間と関連したレイテンシを効果的に除去することができる。さらに、プロキシデバイスは、第２の通信インターフェースを介して、クライアント端末からコール開始メッセージ（たとえばＰＴＴ  Ａｎｎｏｕｎｃｅ  Ｃａｌｌメッセージ）を受信することができる（８１４）。プロキシデバイス６０２は、コール開始メッセージを、その第１の通信インターフェースを介してアクセスノードに転送することができる（８１６）。
【００８９】
図１、図２、図３、図４、図５、図６、図７、図８、図９、図１０、および／または図１１に示したコンポーネント、ステップ、特徴および／または機能のうちの１つまたは複数は、単一のコンポーネント、ステップ、特徴または機能へと再構成されおよび／もしくは結合されることができ、または、いくつかのコンポーネント、ステップ、または機能において具現化されることができる。また、本発明から逸脱することなく、追加の要素、コンポーネント、ステップ、および／または機能を追加することができる。図１、図５、および／または図７に示した装置、デバイス、および／またはコンポーネントは、図２、図３、図４、図６、図８、図９、図１０、および／または図１１に記載した方法、特徴、またはステップのうちの１つまたは複数を実行するように構成され得る。本明細書で説明する新規のアルゴリズムはまた、効率的にソフトウェアにおいて実装され、および／またはハードウェアに組み込まれることができる。
【００９０】
また、少なくともいくつかの実装形態が、フローチャート、流れ図、構造図、またはブロック図として示されたプロセスとして説明されたことに留意されたい。フローチャートは動作を順次プロセスとして説明し得るが、動作の多くは、並行してまたは同時に実行されることができる。さらに、動作の順序は、並び替えることができる。プロセスは、その動作が完了すると終了する。プロセスは、メソッド、関数、プロシージャ、サブルーチン、サブプログラムなどに対応し得る。プロセスが関数に対応するときには、その終了はコーリング関数またはメイン関数への関数の復帰に対応する。
【００９１】
さらに、諸実施形態は、ハードウェア、ソフトウェア、ファームウェア、ミドルウェア、マイクロコード、またはそれらの任意の組合せによって実装され得る。ソフトウェア、ファームウェア、ミドルウェアまたはマイクロコードで実装される場合、必要なタスクを実行するためのプログラムコードまたはコードセグメントは、記憶媒体または他の記憶装置などの機械可読媒体に記憶され得る。プロセッサは必要なタスクを実行することができる。コードセグメントは、プロシージャ、関数、サブプログラム、プログラム、ルーチン、サブルーチン、モジュール、ソフトウェアパッケージ、クラス、または、命令、データ構造、もしくはプログラムステートメントの任意の組合せを表し得る。コードセグメントは、情報、データ、引数、パラメータ、またはメモリコンテンツを、パスするおよび／または受け取ることによって、別のコードセグメントまたはハードウェア回路に結合され得る。情報、引数、パラメータ、データなどは、メモリ共有、メッセージパッシング、トークンパッシング、ネットワーク伝送などを含む任意の適切な手段を介して、パスされ、転送され、または送信されることができる。
【００９２】
本明細書に開示される例に関連して説明された、様々な例示的な論理ブロック、モジュール、回路、要素、および／またはコンポーネントは、汎用プロセッサ、デジタルシグナルプロセッサ（ＤＳＰ）、特定用途向け集積回路（ＡＳＩＣ）、フィールドプログラマブルゲートアレイ（ＦＰＧＡ）もしくは他のプログラマブルロジックコンポーネント、ディスクリートゲートもしくはトランジスタロジック、ディスクリートハードウェアコンポーネント、または、本明細書で説明する機能を実行するように設計されたそれらの任意の組合せを用いて、実装または実行されることができる。汎用プロセッサは、マイクロプロセッサであってよいが、代替として、プロセッサは、任意の従来のプロセッサ、コントローラ、マイクロコントローラ、またはステートマシンであってよい。プロセッサはまた、コンピューティングコンポーネントの組合せ、たとえば、ＤＳＰとマイクロプロセッサの組合せ、複数のマイクロプロセッサ、ＤＳＰコアと連携する１つまたは複数のマイクロプロセッサ、または任意の他のそのような構成として実装され得る。
【００９３】
本明細書に開示される例に関連して説明される方法またはアルゴリズムは、直接、ハードウェアにおいて、プロセッサによって実行可能なソフトウェアモジュールにおいて、または両方の組合せで、処理ユニット、プログラム命令、または他の指令の形で具現化されることができ、単一のデバイスに含まれる、または複数のデバイスにわたって分散されることができる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に存在することができる。記憶媒体は、プロセッサがその記憶媒体から情報を読み取り、その記憶媒体に情報を書き込むことができるように、プロセッサに結合され得る。代替として、記憶媒体はプロセッサに統合されてよい。
【００９４】
さらに、記憶媒体は、読取り専用メモリ（ＲＯＭ）、ランダムアクセスメモリ（ＲＡＭ）、磁気ディスク記憶媒体、光記憶媒体、フラッシュメモリデバイスならびに／または、情報を記憶するための他の機械可読媒体、プロセッサ可読媒体、および／もしくはコンピュータ可読媒体を含む、データを記憶するための１つまたは複数のデバイスを表し得る。「機械可読媒体」、「コンピュータ可読媒体」、および／または「プロセッサ可読媒体」という用語は、限定はされないが、ポータブルまたは固定記憶デバイス、光記憶デバイス、ワイヤレスチャネル、ならびに命令および／またはデータを、記憶、格納または担持することが可能な様々な他の媒体などの非一時的媒体を含み得る。したがって、本明細書で説明する様々な方法は、「機械可読媒体」、「コンピュータ可読媒体」、および／または「プロセッサ可読媒体」に記憶され、１つまたは複数のプロセッサ、機械および／またはデバイスによって実行され得る命令および／またはデータによって完全にまたは部分的に実装され得る。
【００９５】
さらに、本明細書で開示される実施形態に関連して説明された様々な例示的な論理ブロック、モジュール、回路、およびアルゴリズムステップは、電子ハードウェア、コンピュータソフトウェア、または両方の組合せとして実装できることを、当業者は諒解されよう。ハードウェアとソフトウェアのこの互換性を明確に示すために、様々な例示的なコンポーネント、ブロック、モジュール、回路、およびステップを、上記では概してそれらの機能に関して説明した。そのような機能をハードウェアとして実装するか、ソフトウェアとして実装するかは、具体的な適用例および全体的なシステムに課される設計制約に依存する。
【００９６】
本明細書で説明する本発明の様々な特徴は、本発明から逸脱することなく様々なシステムで実装され得る。上記の実施形態は例にすぎず、本発明を限定するものと解釈すべきではないことに留意されたい。実施形態についての説明は、例示的なものであり、特許請求の範囲を限定するものではない。したがって、本教示は、他のタイプの装置、ならびに多くの代替形態、修正形態、および変更形態に容易に適用できることが当業者には明らかであろう。
【図１】
2013544452.tif 000003
【図２】
2013544452.tif 000004
【図３】
2013544452.tif 000005
【図４】
2013544452.tif 000006
【図５】
2013544452.tif 000007
【図６】
2013544452.tif 000008
【図７】
2013544452.tif 000009
【図８】
2013544452.tif 000010
【図９】
2013544452.tif 000011
【図１０】
2013544452.tif 000012
【図１１】
2013544452.tif 000013
【国際調査報告】
2013544452.tif 000014
2013544452.tif 000015
2013544452.tif 000016